(57)【要約】【課題】他コネクタとの電気的接続の信頼性の向上を図ること。【解決手段】コネクタ１０１は、複数のコンタクト２と、ハウジング１と、接続端子６と、を備える。接続端子６は、導電性を有し、他コネクタの導電部に電気的に接続可能である。ハウジング１は、底壁１１と、底壁１１を囲む周壁１２と、を有する。周壁１２の一対の第１周壁１２１は、少なくとも一方が複数のコンタクト２を配列方向に並んだ状態で保持する。周壁１２の一対の第２周壁１２２は、それぞれ一対の第１周壁１２１の端部同士を繋ぐ。接続端子６は、一部が第２周壁１２２に押し込まれることでハウジング１に保持される。接続端子６のうちハウジング１に保持されていない部位の少なくとも一部は、導電部に接する部位であり、弾性変形可能である。【選択図】図１
2018133333.tif 000002
【特許請求の範囲】
【請求項１】
複数のコンタクトと、
前記複数のコンタクトを保持するハウジングと、
導電性を有し、他コネクタの導電性を有する導電部に電気的に接続可能な接続端子と、を備え、
前記ハウジングは、
底壁と、
前記底壁を囲む周壁と、を有し、
前記周壁は、
少なくとも一方が前記複数のコンタクトを配列方向に並んだ状態で保持する一対の第１周壁と、
それぞれ前記一対の第１周壁の端部同士を繋ぐ一対の第２周壁と、を有し、
前記接続端子は、一部が前記一対の第２周壁のうち少なくとも１つの第２周壁に保持され、
前記接続端子のうち前記ハウジングに保持されていない部位の少なくとも一部は、前記導電部に接する部位であり、弾性変形可能である
コネクタ。
【請求項２】
前記接続端子は、前記複数のコンタクトのうち一部のコンタクトと同電位に電気的に接続されている
請求項１記載のコネクタ。
【請求項３】
前記複数のコンタクトは、信号伝送用の信号端子と、電源と電気的に接続される電源端子と、を有しており、
前記接続端子は、前記電源端子と同電位に電気的に接続されている
請求項２記載のコネクタ。
【請求項４】
前記接続端子は、前記コネクタが前記他コネクタと接続されている状態において、前記他コネクタが実装される基板の有する導体と電気的に接続される
請求項１乃至３のいずれか１項に記載のコネクタ。
【請求項５】
前記接続端子は、前記一対の第２周壁の各々に設けられる
請求項１乃至４のいずれか１項に記載のコネクタ。
【請求項６】
前記接続端子は、
前記ハウジングに保持される主片と、
前記主片と間隔を空けて対向し、前記第２周壁から露出する対向片と、
前記主片及び前記対向片の端部同士を繋ぐ繋ぎ片と、を有する
請求項１乃至５のいずれか１項に記載のコネクタ。
【請求項７】
前記接続端子は、基板に接合される接合部を更に有し、
前記接合部は、前記主片の前記底壁側の一端に設けられる
請求項６記載のコネクタ。
【請求項８】
前記主片は、前記底壁側の一端から前記底壁に沿って延びる延長片を有し、
前記接合部は、前記延長片に更に設けられる
請求項７記載のコネクタ。
【請求項９】
前記ハウジングに取り付けられる取付金具を更に備え、
前記一対の第２周壁のうち前記接続端子が設けられる第２周壁は、前記取付金具をインサート品とするインサート成形品である
請求項１乃至８のいずれか１項に記載のコネクタ。
【請求項１０】
前記対向片は、前記一対の第２周壁が並ぶ方向に沿った向きに突出する突部を有する
請求項６記載のコネクタ。
【請求項１１】
前記突部は、前記底壁と直交する方向に沿って延びている
請求項１０記載のコネクタ。
【請求項１２】
前記接続端子は、前記対向片を複数有する
請求項６記載のコネクタ。
【請求項１３】
前記接続端子は、一部が前記一対の第２周壁のうち少なくとも１つの第２周壁に押し込まれることで前記ハウジングに保持される
請求項１乃至１２のいずれか１項に記載のコネクタ。
【請求項１４】
前記接続端子は、一部が前記一対の第２周壁のうち少なくとも１つの第２周壁に押し込まれることで前記ハウジングに保持され、
前記主片は、前記繋ぎ片に繋がる一端の角部に設けられて、前記接続端子を前記第２周壁に押し込む向きとは反対の向きに窪んだ避け部を有する
請求項６記載のコネクタ。
【請求項１５】
前記主片は、前記底壁側の一端に設けられて、前記底壁側の一端から他端に向かって窪んだ凹部を更に有する
請求項７記載のコネクタ。
【請求項１６】
前記ハウジングは、前記接続端子をインサート品とするインサート成形品である
請求項１乃至１２、及び請求項１５のいずれか１項に記載のコネクタ。
【請求項１７】
前記ハウジングは、前記接続端子をインサート品とするインサート成形品であり、
前記ハウジングは、前記主片と前記対向片との間に設けられる壁部を更に有する
請求項６記載のコネクタ。
【請求項１８】
請求項１乃至１７のいずれか１項に記載のコネクタとしてのヘッダに接続される前記他コネクタとしてのソケットであって、
前記ヘッダの前記複数のコンタクトに電気的に接続される複数の他コネクタ側コンタクトを有する
ソケット。
【請求項１９】
請求項１乃至１７のいずれか１項に記載のコネクタと、
前記複数のコンタクトに電気的に接続される複数の他コネクタ側コンタクトを有する前記他コネクタと、を備える
接続システム。
【発明の詳細な説明】
【技術分野】
【０００１】
本発明は、一般にコネクタ、ソケット、及び接続システムに関し、より詳細には、電気部品同士を電気的に接続するためのコネクタ、ソケット、及び接続システムに関する。
【背景技術】
【０００２】
従来、電気部品同士を電気的に接続するためのコネクタが知られており、例えば特許文献１に開示されている。特許文献１に記載のヘッダ（コネクタ）は、絶縁性の合成樹脂によって全体的に矩形状に成形されたヘッダハウジング（ハウジング）を備えている。ヘッダハウジングには、複数のヘッダ側端子（コンタクト）が、長手方向に等しいピッチをもって配設されている。また、ヘッダハウジングの長手方向両端部には、ヘッダ側保持金具（取付金具）が配設されている。複数のヘッダ側端子は、ヘッダがソケット（他コネクタ）に嵌合することで、複数のソケット側端子（他コネクタ側コンタクト）に電気的に接続される。
【先行技術文献】
【特許文献】
【０００３】
【特許文献１】国際公開第２０１３／０３１１３９号
【発明の概要】
【発明が解決しようとする課題】
【０００４】
上記従来例のようなコネクタでは、他コネクタとの電気的接続の信頼性の向上を図ることが望まれている。
【０００５】
本発明は、上記の点に鑑みてなされており、他コネクタとの電気的接続の信頼性の向上を図ることのできるコネクタ、ソケット、及び接続システムを提供することを目的とする。
【課題を解決するための手段】
【０００６】
本発明の一態様のコネクタは、複数のコンタクトと、ハウジングと、接続端子と、を備える。前記ハウジングは、前記複数のコンタクトを保持する。前記接続端子は、導電性を有し、他コネクタの導電性を有する導電部に電気的に接続可能である。前記ハウジングは、底壁と、前記底壁を囲む周壁と、を有する。前記周壁は、一対の第１周壁と、一対の第２周壁と、を有する。前記一対の第１周壁は、少なくとも一方が前記複数のコンタクトを配列方向に並んだ状態で保持する。前記一対の第２周壁は、それぞれ前記一対の第１周壁の端部同士を繋ぐ。前記接続端子は、一部が前記一対の第２周壁のうち少なくとも１つの第２周壁に保持される。前記接続端子のうち前記ハウジングに保持されていない部位の少なくとも一部は、前記導電部に接する部位であり、弾性変形可能である。
【０００７】
本発明の一態様のソケットは、上記のコネクタとしてのヘッダに接続される前記他コネクタとしてのソケットである。前記ソケットは、前記ヘッダの前記複数のコンタクトに電気的に接続される複数の他コネクタ側コンタクトを有する。
【０００８】
本発明の一態様の接続システムは、上記のコネクタと、前記他コネクタと、を備える。前記他コネクタは、前記複数のコンタクトに電気的に接続される複数の他コネクタ側コンタクトを有する。
【発明の効果】
【０００９】
本発明は、他コネクタとの電気的接続の信頼性の向上を図ることができる。
【図面の簡単な説明】
【００１０】
【図１】図１は、実施形態１に係るコネクタの斜視図である。
【図２】図２は、同上のコネクタの前後を反転させた状態の斜視図である。
【図３】図３は、同上のコネクタの前面図である。
【図４】図４は、同上のコネクタの後面図である。
【図５】図５Ａは、同上のコネクタからハウジングを省略した状態の斜視図である。図５Ｂは、同上のコネクタにおけるコンタクトの断面図である。
【図６】図６Ａは、同上のコネクタにおける、接続端子の斜視図である。図６Ｂは、同上のコネクタにおける、接続端子の平面図である。図６Ｃは、同上のコネクタにおける、接続端子の側面図である。
【図７】図７は、実施形態１に係る他コネクタの斜視図である。
【図８】図８は、同上の他コネクタの前後を反転させた状態の斜視図である。
【図９】図９は、同上の他コネクタの前面図である。
【図１０】図１０は、同上の他コネクタの後面図である。
【図１１】図１１Ａは、同上の他コネクタから他コネクタ側ハウジングを省略した状態の斜視図である。図１１Ｂは、同上の他コネクタにおける他コネクタ側コンタクトの断面図である。
【図１２】図１２Ａ、図１２Ｂは、それぞれ同上の他コネクタにおける、他コネクタ側取付金具の斜視図である。
【図１３】図１３は、実施形態１に係る接続システムにおいて、コネクタに他コネクタが接続される前の状態を示す断面図である。
【図１４】図１４は、同上の接続システムにおいて、コネクタに他コネクタが接続された状態を示す断面図である。
【図１５】図１５Ａは、同上の接続システムにおいて、接続端子が他コネクタ側取付金具に接触する前の状態を示す一部省略した断面図である。図１５Ｂは、同上の接続システムにおいて、接続端子が他コネクタ側取付金具に接触した状態を示す一部省略した断面図である。
【図１６】図１６は、実施形態１の第１変形例に係るコネクタの斜視図である。
【図１７】図１７は、同上のコネクタの前後を反転させた状態の斜視図である。
【図１８】図１８は、実施形態１の第２変形例に係るコネクタの前後を反転させた状態の斜視図である。
【図１９】図１９Ａは、実施形態１の第３変形例に係るコネクタにおける、接続端子の斜視図である。図１９Ｂは、同上のコネクタにおける、接続端子の平面図である。図１９Ｃは、同上のコネクタにおける、接続端子の側面図である。
【図２０】図２０Ａは、実施形態１の第４変形例に係るコネクタにおける、接続端子の斜視図である。図２０Ｂは、同上のコネクタにおける、接続端子の平面図である。図２０Ｃは、同上のコネクタにおける、接続端子の側面図である。
【図２１】図２１Ａは、実施形態１の第５変形例に係るコネクタにおける、接続端子の斜視図である。図２１Ｂは、同上のコネクタにおける、接続端子の平面図である。図２１Ｃは、同上のコネクタにおける、接続端子の側面図である。
【図２２】図２２Ａは、実施形態１の第６変形例に係るコネクタにおける、接続端子の斜視図である。図２２Ｂは、同上のコネクタにおける、接続端子の平面図である。図２２Ｃは、同上のコネクタにおける、接続端子の側面図である。
【図２３】図２３は、実施形態１の第７変形例に係るコネクタにおいて、前後を反転した状態を示す一部省略した斜視図である。
【図２４】図２４は、実施形態２に係るコネクタの斜視図である。
【図２５】図２５は、同上のコネクタの前後を反転させた状態の斜視図である。
【図２６】図２６は、同上のコネクタの前面図である。
【図２７】図２７は、同上のコネクタの後面図である。
【図２８】図２８Ａは、実施形態２に係る接続システムにおいて、接続端子が他コネクタ側取付金具に接触する前の状態を示す一部省略した断面図である。図２８Ｂは、同上の接続システムにおいて、接続端子が他コネクタ側取付金具に接触した状態を示す一部省略した断面図である。
【図２９】図２９は、実施形態２の第１変形例に係るコネクタの斜視図である。
【図３０】図３０は、同上のコネクタの前後を反転させた状態の斜視図である。
【図３１】図３１は、実施形態２の第２変形例に係るコネクタの前後を反転させた状態の斜視図である。
【図３２】図３２は、実施形態２の第３変形例に係るコネクタにおいて、前後を反転した状態を示す一部省略した斜視図である。
【発明を実施するための形態】
【００１１】
（実施形態１）
（１）概要
以下、実施形態１のコネクタ１０１について図１〜図６Ｃを用いて説明する。本実施形態のコネクタ１０１は、例えばプリント配線板やフレキシブルプリント配線板などの基板７（図１３参照）に取り付けられる。コネクタ１０１は、例えばスマートフォン等の携帯端末に搭載されている複数の基板７の間を電気的に接続するために用いられる。もちろん、コネクタ１０１の用途を限定する趣旨ではなく、コネクタ１０１は、例えばカメラモジュール等の携帯端末以外の電子機器に用いられてもよい。また、コネクタ１０１は、複数の基板７の間を電気的に接続する用途に限られず、例えば基板７とディスプレイとの間や、基板７とバッテリとの間など、複数の部品の間を電気的に接続する用途であればよい。
【００１２】
コネクタ１０１は、ハウジング１と、複数のコンタクト２と、接続端子６と、を備えている。ハウジング１は、複数のコンタクト２を保持する。ハウジング１は、底壁１１と、底壁１１を囲む周壁１２と、を有している。周壁１２は、一対の第１周壁１２１と、一対の第２周壁１２２とで構成されている。一対の第１周壁１２１は、少なくとも一方が複数のコンタクト２を配列方向（第１周壁１２１の長手方向）に並んだ状態で保持する。一対の第２周壁１２２は、それぞれ一対の第１周壁１２１の端部同士を繋ぐ。
【００１３】
ハウジング１の厚さ方向の寸法は、例えば数ｍｍ以下である。また、ハウジング１の長手方向の寸法は、例えば十数ｍｍである。また、ハウジング１の短手方向の寸法は、例えば数ｍｍである。更に、複数のコンタクト２の並ぶ間隔、つまりピッチは、例えばコンマ数ｍｍである。本実施形態では、複数のコンタクト２は等ピッチで並んでいるが、不揃いのピッチで並んでいてもよい。
【００１４】
接続端子６は、導電性を有し、他コネクタ１０２（後述する）の導電性を有する導電部に電気的に接続可能である。また、接続端子６は、一部がハウジング１に保持される。具体的には、接続端子６は、一対の第２周壁１２２のうち少なくとも１つの第２周壁１２２に保持される。本実施形態では、接続端子６は、一部が一対の第２周壁１２２のうち少なくとも１つの第２周壁１２２に押し込まれることでハウジング１に保持される。また、接続端子６のうちハウジング１に保持されていない部位の少なくとも一部は、導電部に接する部位であり、弾性変形可能である。
【００１５】
つまり、本実施形態のコネクタ１０１は、複数のコンタクト２とは別に、導電性を有する接続端子６を更に備えている。このため、本実施形態のコネクタ１０１を他コネクタ１０２に接続すると、複数のコンタクト２だけでなく、接続端子６も他コネクタ１０２に電気的に接続されるので、結果として他コネクタ１０２との電気的接続の信頼性の向上を図ることができる。
【００１６】
（２）詳細
以下、本実施形態のコネクタ１０１の構成について詳細に説明する。以下では、ハウジング１，１Ａの長手方向を左右方向（第１方向）、ハウジング１，１Ａの短手方向を上下方向（第２方向）、ハウジング１，１Ａの厚さ方向を前後方向（第３方向）として説明する。なお、図１〜図３２には、これらの方向（上、下、左、右、前、後）を表す矢印を示すが、これらの矢印は、単に説明を補助する目的で記載しているに過ぎず、実体を伴わない。また、上記の方向の規定は、本実施形態、及び後述する実施形態２のコネクタ１０１及び他コネクタ１０２の使用形態を限定する趣旨ではない。
【００１７】
（２．１）全体構成
まず、本実施形態のコネクタ１０１の全体構成について詳細に説明する。接続端子６については、「（２．２）接続端子」にて詳細に説明する。本実施形態のコネクタ１０１は、ヘッダ（オスコネクタ）であって、図１〜図６Ｃに示すように、ハウジング１と、複数（ここでは、８本）のコンタクト２と、二対の取付金具５と、一対の接続端子６と、を備えている。
【００１８】
ハウジング１は、第１方向（左右方向）に長い扁平な直方体状であって、絶縁性を有する樹脂成形体である。ハウジング１は、底壁１１と、周壁１２と、を有している。底壁１１は、第１方向に長い板状であって、ハウジング１の底部を構成する。周壁１２は、底壁１１と一体である。また、周壁１２は、底壁１１の周縁から底壁１１の一面（前面）を囲むように前向きに突出しており、平面視で矩形枠状である。つまり、周壁１２は、底壁１１を囲むように構成されている。ここでは、「平面視」は、第３方向（前後方向）から見ることをいう。
【００１９】
具体的には、周壁１２は、一対の第１周壁１２１と、一対の第２周壁１２２とで構成されている。一対の第１周壁１２１は、周壁１２のうち第１方向（左右方向）に長い一対の壁である。一対の第２周壁１２２は、周壁１２のうち第２方向（上下方向）に長い一対の壁である。底壁１１及び周壁１２で囲まれた部位は、他コネクタ１０２が嵌合する嵌合凹部１３を構成している。具体的には、嵌合凹部１３には、他コネクタ１０２の台部１６（後述する）が嵌合する。
【００２０】
本実施形態では、ハウジング１は、複数のコンタクト２と、二対の取付金具５と、をインサート品とするインサート成形品である。本実施形態では、複数のコンタクト２は、一対の第１周壁１２１の各々に設けられている。具体的には、一対の第１周壁１２１は、それぞれ４本のコンタクト２を保持している。また、本実施形態では、一対の接続端子６は、それぞれ一部が一対の第２周壁１２２に押し込まれることにより、ハウジング１に保持されている。
【００２１】
コンタクト２は、例えば銅合金などの金属材料から成る金属成形体である。また、コンタクト２には、金めっきが施されている。なお、コンタクト２には、金めっきが施されていなくてもよい。コンタクト２は、接触片２１と、垂下片２２と、端子片２３と、を有しており、これらが一体に構成されている（図５Ｂ参照）。接触片２１は、板状である。接触片２１は、周壁１２における嵌合凹部１３との対向面に設けられている。接触片２１は、他コネクタ１０２の台部１６が嵌合凹部１３に挿入された状態で、対応する他コネクタ側コンタクト２Ａ（後述する）と接触するように構成されている。
【００２２】
また、接触片２１には、嵌合凹部１３から離れる向きに窪んだ窪み２１１が設けられている。窪み２１１は、他コネクタ１０２の台部１６が嵌合凹部１３に挿入された状態で、対応する他コネクタ側コンタクト２Ａの一部が嵌まり込むように構成されている。つまり、接触片２１の窪み２１１及び対応する他コネクタ側コンタクト２Ａは、所定以上の力を加えることによりコネクタ１０１と他コネクタ１０２との接続状態を解除可能なロック機構を構成している。
【００２３】
垂下片２２は、板状である。垂下片２２は、第１周壁１２１の外側の面（上側の第１周壁１２１であれば上面、下側の第１周壁１２１であれば下面）に沿って設けられている。垂下片２２の一端（前端）は、逆Ｕ字状に湾曲しており、接触片２１の第１端（前端）と一体である。
【００２４】
また、垂下片２２は、垂下片２２の厚さ方向（上下方向）に沿って突出する突起２２１と一体である。突起２２１は、他コネクタ１０２の台部１６が嵌合凹部１３に挿入された状態で、対応する他コネクタ側コンタクト２Ａの突起２５１（後述する）と第３方向（前後方向）に並び、かつ、突起２５１よりも後方に位置する（図１４参照）。このため、所定以上の力をもって他コネクタ１０２を嵌合凹部１３から引き抜こうとしない限り、他コネクタ側コンタクト２Ａの突起２５１がコンタクト２の突起２２１に引っ掛かることにより、コネクタ１０１と他コネクタ１０２との接続状態が解除されない。つまり、コンタクト２の突起２２１及び他コネクタ側コンタクト２Ａの突起２５１は、所定以上の力を加えることによりコネクタ１０１と他コネクタ１０２との接続状態を解除可能なロック機構を構成している。
【００２５】
端子片２３は、板状である。端子片２３の第１端は、接触片２１の第２端（後端）と一体である。また、端子片２３の第２端は、第３方向の一端側（後側）において、ハウジング１から露出している。端子片２３の一面（後面）は、例えば半田付けにより基板７に接合される接合面となる。
【００２６】
複数のコンタクト２は、信号端子３と、電源端子４と、に大別される。信号端子３は、信号伝送用の端子である。電源端子４は、電源と電気的に接続される端子である。本実施形態では、８本のコンタクト２のうち、信号端子３が４本、電源端子４が４本である。また、本実施形態では、一対の第１周壁１２１の各々に、２本の信号端子３と、２本の電源端子４とが配列方向（左右方向）に並んだ状態で設けられている。また、一対の第１周壁１２１の各々において、２本の信号端子３は、２本の電源端子４に挟まれるように設けられている。
【００２７】
本実施形態では、電源端子４は、３本の信号端子３を一方向（左右方向）に並べて一体とした形状である。つまり、本実施形態では、電源端子４の幅寸法（第１方向（左右方向）の寸法）を信号端子３の幅寸法よりも大きくしている。これにより、電源端子４のインピーダンスを信号端子３のインピーダンスよりも小さくし、電源端子４の定格電流を信号端子３の定格電流よりも大きくしている。また、電源端子４の垂下片２２には、３つの窪み２２１が設けられている。また、電源端子４の端子片２３は、第２端から第２方向（上下方向）における外向きに突出する２つの突片２３１と一体である。このため、電源端子４の端子片２３を例えば半田付けにより基板７に接合するときに、これら２つの突片２３１の間の領域に半田が広がり易く、フィレットが形成され易い。したがって、この構成では、電源端子４を基板７に対してより強固に接合することができる。
【００２８】
また、本実施形態では、第１方向（左右方向）から見て、信号端子３の断面の形状は、電源端子４の断面の形状と同一である。ここでいう「同一」は、「ほぼ同一」を含む表現である。したがって、製造上の誤差又はバラツキにより信号端子３及び電源端子４の各々の断面の形状が互いに僅かに異なるのは、許容範囲内の誤差である。
【００２９】
取付金具５は、例えば銅合金などの金属材料から成る金属成形体であり、板状の第１片５０１と、第１片５０１と一体である板状の第２片５０２と、を有している（図５Ａ参照）。取付金具５は、全体として、平面視でＬ字状である。ここでは、「平面視」は、第１方向（左右方向）から見ることをいう。
【００３０】
取付金具５は、一対の第２周壁１２２の各々に一対ずつ設けられている（図１、図２参照）。具体的には、取付金具５は、第１片５０１が第２周壁１２２に埋め込まれるように設けられている。つまり、取付金具５は、一対の第２周壁１２２のうち接続端子６が設けられる第２周壁１２２に設けられている。具体的には、一対の第２周壁１２２のうち接続端子６が設けられる第２周壁１２２は、取付金具５をインサート品とするインサート成形品である。取付金具５は、第２周壁１２２（つまり、ハウジング１）の強度を向上するために用いられる。
【００３１】
第２片５０２は、ハウジング１から露出しており、その後面は、コンタクト２の後面と略面一である。一対の第１周壁１２１の各々において、２つの第２片５０２は、複数のコンタクト２の端子片２３と配列方向（左右方向）に並んだ状態でハウジング１に設けられている。したがって、第２片５０２は、複数のコンタクト２と同様に、基板７に接合することが可能である。そして、第２片５０２を基板７に半田付けにより接合することで、第２片５０２（つまり、取付金具５）に加わる応力を基板７に伝えることができ、基板７でも応力を受けることが可能になる。このため、取付金具５の強度を向上することができ、結果としてハウジング１の強度を向上することができる。
【００３２】
（２．２）接続端子
次に、本実施形態のコネクタ１０１における接続端子６について図６Ａ〜図６Ｃを用いて詳細に説明する。本実施形態では、接続端子６は、一対の第２周壁１２２の各々に設けられている。以下の説明では、原則として、第１方向の第１側（左側）の第２周壁１２２に取り付けられる接続端子６を例として説明するが、第１方向の第２側（右側）の第２周壁１２２に取り付けられる接続端子６も同様の構成である。
【００３３】
接続端子６は、例えば銅合金などの金属材料から成る金属成形体であり、導電性を有している。また、接続端子６には、金めっきが施されている。なお、接続端子６には、金めっきが施されていなくてもよい。接続端子６は、主片６１と、対向片６２と、繋ぎ片６３と、を有している。主片６１は、第２方向（上下方向）に沿って長い矩形板状である。主片６１は、第２周壁１２２の溝１４（図２参照）に後方から押し込まれることにより、ハウジング１に保持されている。ここでいう「押し込まれる」とは、一定以上の力を加えて押し込まれること、つまり圧入を含む概念である。
【００３４】
溝１４は、一対の第２周壁１２２の各々に設けられている。溝１４は、第２周壁１２２を第３方向（前後方向）に貫通するように設けられている。具体的には、第１方向の第１側（左側）の第２周壁１２２の溝１４は、第２周壁１２２の前面の一部、後面の一部、及び左側面の一部を開放するように設けられている。また、第１方向の第２側（右側）の第２周壁１２２の溝１４は、第２周壁１２２の前面の一部、後面の一部、及び右側面の一部を開放するように設けられている。本実施形態では、溝１４の長手方向（上下方向）の寸法は、接続端子６の主片６１の長手方向（上下方向）の寸法よりも僅かに小さくなっている。したがって、接続端子６の主片６１は、溝１４に後方から押し込まれることで、塑性変形した状態でハウジング１に保持されることになる。つまり、接続端子６は、一部（主片６１）がハウジング１に保持されるように構成されている。
【００３５】
主片６１の短手方向の第１端（前端）は、繋ぎ片６３の第１端と一体である。本実施形態では、２つの繋ぎ片６３の第１端は、主片６１の長手方向（上下方向）に間隔を空けて主片６１の短手方向の第１端と一体である。そして、２つの繋ぎ片６３の第２端は、それぞれ対応する対向片６２の長手方向の第１端（前端）と一体である。つまり、接続端子６は、複数（ここでは、２つ）の対向片６２を有している。そして、複数の対向片６２の第１端は、それぞれ対応する複数（ここでは、２つ）の繋ぎ片６３と一体である。
【００３６】
また、接続端子６において、対向片６２及び繋ぎ片６３は、いずれもハウジング１に保持されていない。本実施形態では、主片６１がハウジング１（第２周壁１２２）に保持されている状態において、対向片６２及び繋ぎ片６３と、ハウジング１との間には、それぞれ隙間が生じている。このため、本実施形態では、対向片６２及び繋ぎ片６３は、ハウジング１に阻害されずに弾性変形し易い。
【００３７】
繋ぎ片６３は、主片６１及び対向片６２の端部（ここでは、前端）同士を繋いでいる。具体的には、上側の繋ぎ片６３は、主片６１の短手方向の第１端（前端）と、上側の対向片６２の長手方向の第１端（前端）とを繋いでいる。また、下側の繋ぎ片６３は、主片６１の短手方向の第１端（前端）と、下側の対向片６２の長手方向の第１端（前端）とを繋いでいる。また、繋ぎ片６３は、平面視で逆Ｕ字状に湾曲している。ここでは、「平面視」は、第２方向（上下方向）から見ることをいう。
【００３８】
主片６１の短手方向の第１端（前端）において、主片６１の長手方向（上下方向）の両角部には、それぞれ避け部６１０が設けられている。避け部６１０は、第３方向（前後方向）に沿った向き（後向き）に窪んでいる。この向きは、接続端子６を第２周壁１２２に押し込む向きと反対の向きに相当する。つまり、避け部６１０は、主片６１における繋ぎ片６３に繋がる一端（ここでは、前端）の角部に設けられており、接続端子６を第２周壁１２２に押し込む向きとは反対の向き（つまり、後向き）に窪んでいる。
【００３９】
言い換えれば、コネクタ１０１は、複数のコンタクト２と、複数のコンタクト２を保持するハウジング１と、接続端子６と、を備える。接続端子６は、導電性を有し、他コネクタ１０２の導電性を有する導電部（本実施形態では、後述する取付金具５Ａ）に電気的に接続可能である。接続端子６は、一部がハウジング１に押し込まれることでハウジング１に保持される。接続端子６のうちハウジング１に保持されていない部位の少なくとも一部は、導電部に接する部位であり、弾性変形可能である。接続端子６は、主片６１と、対向片６２と、繋ぎ片６３と、を有する。主片６１は、ハウジング１に保持される。対向片６２は、主片６１と間隔を空けて対向し、ハウジング１から露出する。繋ぎ片６３は、主片６１及び対向片６２の端部同士を繋ぐ。そして、主片６１は、避け部６１０を有している。避け部６１０は、主片６１における繋ぎ片６３に繋がる一端の角部に設けられて、接続端子６をハウジング１に押し込む向きとは反対の向きに窪んでいる。
【００４０】
第１方向の第１側（左側）の接続端子６において、第２方向の第１側（上側）の避け部６１０は、前方、上方、及び左方を開放するように設けられている。また、第１方向の第１側（左側）の接続端子６において、第２方向の第２側（下側）の避け部６１０は、前方、下方、及び左方を開放するように設けられている。同様に、第１方向の第２側（右側）の接続端子６において、第２方向の第１側（上側）の避け部６１０は、前方、上方、及び右方を開放するように設けられている。また、第１方向の第２側（右側）の接続端子６において、第２方向の第２側（下側）の避け部６１０は、前方、下方、及び右方を開放するように設けられている。また、避け部６１０は、第３方向（前後方向）から見た開口面が、後方から前方に向かうにつれて広がるように設けられている。
【００４１】
主片６１の長手方向（上下方向）の寸法は、短手方向の第２端（後端）側の寸法の方が、短手方向の第１端（前端）側の寸法よりも大きくなっている。また、主片６１の短手方向の第２端（後端）は、ハウジング１の第３方向の一端側（後側）において、ハウジング１から露出している。主片６１の短手方向の第２端の一面（後面）は、複数のコンタクト２の一面（後面）と略面一であり、例えば半田付けにより基板７に接合される接合面となる。つまり、接続端子６は、基板７に接合される接合部６１１を更に有している。そして、接合部６１１は、主片６１の短手方向の第２端（後端）、つまり底壁１１側の一端に設けられている。
【００４２】
主片６１の短手方向の第２端（後端）には、２つの凹部６１２が設けられている。２つの凹部６１２は、いずれもハウジング１の厚さ方向に沿った向き（ここでは、前向き）に窪んでいる。この向きは、接続端子６を第２周壁１２２に押し込む向き、言い換えれば、主片６１の底壁１１側の一端（後端）から他端（前端）に向かう向きに相当する。また、２つの凹部６１２は繋がっており、２つの凹部６１２が繋がる部位も、第３方向に沿った向き（前向き）に窪んでいる。つまり、凹部６１２は、主片６１の短手方向の第２端（後端）、つまり底壁１１側の一端に設けられており、接続端子６を第２周壁１２２に押し込む向き（前向き）に窪んでいる。言い換えれば、凹部６１２は、底壁１１側の一端に設けられており、底壁１１側の一端から他端に向かって窪んでいる。
【００４３】
対向片６２は、第３方向（前後方向）に沿って長い矩形板状である。対向片６２は、主片６１と第１方向（左右方向）に間隔を空けて対向し、第２周壁１２２から露出している。具体的には、第１方向の第１側（左側）の接続端子６の対向片６２は、第２周壁１２２の左面から露出している。また、第１方向の第２側（右側）の接続端子６の対向片６２は、第２周壁１２２の右面から露出している。
【００４４】
対向片６２と主片６１との間には、空隙が設けられている。また、接続端子６のうち対向片６２及び繋ぎ片６３は、ハウジング１には保持されていない。このため、対向片６２及び繋ぎ片６３は、弾性変形することが可能である。特に、対向片６２は、第１方向（左右方向）において弾性変形することが可能である。つまり、接続端子６では、ハウジング１に保持されていない部位（対向片６２及び繋ぎ片６３）が弾性変形可能である。
【００４５】
対向片６２には、第１方向（左右方向）に沿った向きに突出する突部６２１が設けられている。具体的には、第１方向の第１側（左側）の接続端子６の対向片６２には、左向きに突出する突部６２１が設けられている。また、第１方向の第２側（右側）の接続端子６の対向片６２には、右向きに突出する突部６２１が設けられている。つまり、対向片６２は、一対の第２周壁１２２が並ぶ方向に沿った向きに突出する突部６２１を有している。
【００４６】
本実施形態では、突部６２１は、対向片６２の長手方向の第２端（後端）から、第３方向（前後方向）に沿って延びている。つまり、突部６２１は、ハウジング１の底壁１１と直交する方向に沿って延びている。また、突部６２１の繋ぎ片６３側の一端（前端）は、繋ぎ片６３に近づくにつれて対向片６２からの突出量が小さくなるテーパを有している。このテーパにより、コネクタ１０１を他コネクタ１０２に接続するときに、突部６２１が他コネクタ１０２の取付金具５Ａ（後述する）に引っ掛かり難い。
【００４７】
本実施形態では、第１方向の第１側（左側）の接続端子６は、接合部６１１が基板７に接合された状態において、基板７の有する導体を介して、上下一対の電源端子４と電気的に接続することが可能である。同様に、第１方向の第２側（右側）の接続端子６は、接合部６１１が基板７に接合された状態において、基板７の有する導体を介して、上下一対の電源端子４と電気的に接続することが可能である。つまり、複数のコンタクト２のうち一部のコンタクト２（電源端子４）は、接続端子６と同電位に電気的に接続されるように構成されている。
【００４８】
（３）他コネクタ
以下、本実施形態のコネクタ１０１に対応する他コネクタ１０２について図７〜図１２Ｂを用いて説明する。
【００４９】
（３．１）全体構成
まず、本実施形態の他コネクタ１０２の全体構成について詳細に説明する。本実施形態の他コネクタ１０２は、ソケット（メスコネクタ）であって、他コネクタ側ハウジング１Ａと、複数の他コネクタ側コンタクト２Ａと、一対の他コネクタ側取付金具５Ａと、を備えている。以下の説明では、原則として、他コネクタ側ハウジング１Ａ、他コネクタ側コンタクト２Ａ、及び他コネクタ側取付金具５Ａを、それぞれ単に「ハウジング１Ａ」、「コンタクト２Ａ」、及び「取付金具５Ａ」という。また、取付金具５Ａについては、「（３．２）取付金具」にて詳細に説明する。
【００５０】
ハウジング１Ａは、第１方向（左右方向）に長い扁平な直方体状であって、絶縁性を有する樹脂成形体である。本実施形態では、ハウジング１Ａは、一対の取付金具５Ａをインサート品とするインサート成形品である。ハウジング１Ａは、底壁１１Ａと、周壁１２Ａと、台部１６と、を有している。底壁１１Ａは、第１方向（左右方向）に長い板状であって、ハウジング１Ａの底部を構成する。周壁１２Ａは、底壁１１Ａの周縁から前向きに突出しており、平面視で矩形枠状である。つまり、周壁１２Ａは、底壁１１Ａの周囲を囲むように構成されている。ここでは、「平面視」は、第３方向（前後方向）から見ることをいう。
【００５１】
具体的には、周壁１２Ａは、一対の第１周壁１２１Ａと、一対の第２周壁１２２Ａとで構成されている。一対の第１周壁１２１Ａは、周壁１２Ａのうち第１方向に沿った一対の壁である。一対の第１周壁１２１Ａの各々には、後述する複数の収納部１７にそれぞれ複数のコンタクト２Ａが収納されることにより、複数のコンタクト２Ａが一方向（左右方向）に並んだ状態で保持される。つまり、周壁１２Ａには、複数のコンタクト２Ａが設けられる。本実施形態では、一対の第１周壁１２１Ａは、それぞれ４本のコンタクト２Ａを保持している。
【００５２】
台部１６は、第１方向（左右方向）に長い直方体状であって、底壁１１Ａの中央から前向きに突出している。底壁１１Ａ、周壁１２Ａ、及び台部１６で囲まれた部位は、コネクタ１０１が嵌合する嵌合凹部１３Ａを構成している。具体的には、嵌合凹部１３Ａには、コネクタ１０１の一対の第１周壁１２１と、コネクタ１０１の一対の第２周壁１２２とが嵌合する。これにより、他コネクタ１０２にコネクタ１０１が接続される。
【００５３】
コンタクト２Ａは、例えば銅合金などの金属材料から成る金属成形体である。また、コンタクト２Ａには、金めっきが施されている。なお、コンタクト２Ａには、金めっきが施されていなくてもよい。コンタクト２Ａは、ばね片２４と、立ち上がり片２５と、立ち下がり片２６と、端子片２７と、を有しており、これらが一体に構成されている（図１１Ｂ参照）。
【００５４】
ばね片２４は、先端が馬蹄形に湾曲しており、第２方向（上下方向）に弾性変形するように構成されている。つまり、ばね片２４は、嵌合凹部１３Ａにコネクタ１０１の複数のコンタクト２が挿入された状態で、対応するコンタクト２に押されることで、対応するコンタクト２に向かう向きの弾性力を発生するように構成されている。
【００５５】
立ち上がり片２５は、板状である。立ち上がり片２５の第１端（後端）は、ばね片２４と一体である。立ち上がり片２５は、嵌合凹部１３Ａにコネクタ１０１の複数のコンタクト２が挿入された状態で、対応するコンタクト２と接触するように構成されている。また、立ち上がり片２５は、ばね片２４に向かって突出する突起２５１と一体である。突起２５１は、コネクタ１０１の複数のコンタクト２が嵌合凹部１３Ａに挿入された状態で、対応するコンタクト２の突起２２１と第３方向（前後方向）に並び、かつ、突起２２１よりも前方に位置する（図１４参照）。つまり、突起２５１は、既に述べたように、対応するコンタクト２の突起２２１に引っ掛かることでロック機構を構成する。
【００５６】
立ち下がり片２６は、板状である。立ち下がり片２６の第１端（前端）は、逆Ｕ字状に湾曲しており、立ち上がり片２５の第２端（前端）と一体である。
【００５７】
端子片２７は、板状である。端子片２７は、立ち下がり片２６の第２端（後端）と一体である。また、端子片２７の先端は、第３方向の一端側（後側）において、ハウジング１Ａから露出している。端子片２７の一面（後面）は、例えば半田付けにより基板７に接合される接合面となる。
【００５８】
複数のコンタクト２Ａは、コネクタ１０１と同様に、信号伝送用の信号端子３Ａと、電源と電気的に接続される電源端子４Ａとに大別される。本実施形態では、コネクタ１０１と同様に、８本のコンタクト２Ａのうち、信号端子３Ａが４本、電源端子４Ａが４本である。また、本実施形態では、一対の第１周壁１２１Ａの各々に、２本の信号端子３Ａと、２本の電源端子４Ａとが配列方向（左右方向）に並んだ状態で設けられている。また、一対の第１周壁１２１Ａの各々において、２本の信号端子３Ａは、２本の電源端子４Ａに挟まれるように設けられている。
【００５９】
本実施形態では、電源端子４Ａは、コネクタ１０１の電源端子４と同様に、３本の信号端子３Ａを一方向（左右方向）に並べて一体とした形状である。つまり、本実施形態では、電源端子４Ａの幅寸法（第１方向（左右方向）の寸法）を信号端子３Ａの幅寸法よりも大きくしている。これにより、電源端子４Ａのインピーダンスを信号端子３Ａのインピーダンスよりも小さくし、電源端子４Ａの定格電流を信号端子３Ａの定格電流よりも大きくしている。また、電源端子４Ａでは、３つのばね片２４が第１方向（左右方向）に間隔を空けて立ち上がり片２５の第１端（後端）と一体である。また、電源端子４Ａの端子片２７は、一端から第２方向（上下方向）における外向きに突出する２つの突片２７１と一体である。このため、電源端子４Ａの端子片２７を例えば半田付けにより基板７に接合するときに、これら２つの突片２７１の間の領域に半田が広がり易く、フィレットが形成され易い。したがって、この構成では、電源端子４Ａを基板７に対してより強固に接合することができる。
【００６０】
また、本実施形態では、第１方向（左右方向）から見て、信号端子３Ａの断面の形状は、電源端子４Ａの断面の形状と同一である。ここでいう「同一」は、「ほぼ同一」を含む表現である。したがって、製造上の誤差又はバラツキにより信号端子３Ａ及び電源端子４Ａの各々の断面の形状が互いに僅かに異なるのは、許容範囲内の誤差である。
【００６１】
ハウジング１Ａは、複数のコンタクト２Ａと１対１に対応する複数（ここでは、８個）の収納部１７を有している。複数の収納部１７は、それぞれ底壁１１Ａを厚さ方向（前後方向）に貫通している。複数のコンタクト２Ａの各々は、後方から収納部１７に押し込まれることにより、収納部１７に収納されている。
【００６２】
複数の収納部１７は、台部１６を挟んだ第２方向（上下方向）の両側に二等分されて設けられている。台部１６の第２方向の両側にある複数の収納部１７は、いずれも第１方向（左右方向）に沿ってほぼ等間隔に並んで設けられている。ここで、台部１６の第２方向の第１側（上側）にある４つの収納部１７のうち、第１方向（左右方向）の両側にある２つの収納部１７には、それぞれコンタクト２Ａとして電源端子４Ａが収納されている。また、台部１６の第２方向の第２側（下側）にある４つの収納部１７のうち、第１方向の両側にある２つの収納部１７にも、それぞれコンタクト２Ａとして電源端子４Ａが収納されている。残りの４つの収納部１７には、それぞれコンタクト２Ａとして信号端子３Ａが収納されている。
【００６３】
複数のコンタクト２Ａの各々は、収納部１７に収納された状態で、一部が嵌合凹部１３Ａに露出している。具体的には、複数のコンタクト２Ａの各々のばね片２４の一部が、台部１６の内側から嵌合凹部１３Ａに露出している。また、複数のコンタクト２Ａの各々の立ち上がり片２５の一部が、第１周壁１２１Ａの内側から嵌合凹部１３Ａに露出している。したがって、他コネクタ１０２にコネクタ１０１を接続すると、複数のコンタクト２Ａの各々の嵌合凹部１３Ａに露出した部位が、コネクタ１０１の対応するコンタクト２と接触する。これにより、他コネクタ１０２の複数のコンタクト２Ａが、それぞれコネクタ１０１の複数のコンタクト２と電気的に接続される。
【００６４】
（３．２）取付金具
次に、本実施形態の他コネクタ１０２における取付金具５Ａについて図１２Ａ、図１２Ｂを用いて詳細に説明する。本実施形態では、取付金具５Ａは、ハウジング１Ａの第１方向（左右方向）の両端部にそれぞれ設けられている。以下の説明では、原則として、ハウジング１Ａの第１方向の第１端（左端）に取り付けられる取付金具５Ａを例として説明するが、ハウジング１Ａの第１方向の第２端（右端）に取り付けられる取付金具５Ａも同様の構成である。
【００６５】
取付金具５Ａは、例えば銅合金などの金属材料から成る金属成形体である。取付金具５Ａは、ハウジング１Ａの強度を向上するために用いられる。取付金具５Ａは、ハウジング１Ａに取り付けられる取付部材５０として、第１取付片５１と、第２取付片５２と、第３取付片５３と、を有している。第１取付片５１は、第３方向（前後方向）に沿って長い矩形板状である。第１取付片５１は、取付部材５０がハウジング１Ａに取り付けられた状態において、周壁１２Ａの内側面Ｓ１の少なくとも一部を覆う。具体的には、第１取付片５１は、第３方向（前後方向）において底壁１１Ａを貫通した状態でハウジング１Ａに取り付けられており、第３方向に沿って周壁１２Ａの内側面Ｓ１を覆っている（図１５Ａ、図１５Ｂ参照）。第１取付片５１の長手方向の第１端（前端）は、第２取付片５２の第１端と一体である。また、第１取付片５１の長手方向の第２端（後端）は、第３取付片５３と一体である。
【００６６】
第２取付片５２の第１端は、第１取付片５１の長手方向の第１端（前端）と繋がっている。また、第２取付片５２の第２端は、突壁１９（後述する）に対向している。第２取付片５２は、取付部材５０がハウジング１Ａに取り付けられた状態において、周壁１２Ａの外側面Ｓ２と内側面Ｓ１とを繋ぐ繋ぎ面Ｓ３の少なくとも一部を覆う。本実施形態では、繋ぎ面Ｓ３は、第１周壁１２１Ａ（又は第２周壁１２２Ａ）の前端部であって、平面視で台形状の部位の外面を構成している（図１５Ａ、図１５Ｂ参照）。ここで、「平面視」は、第１周壁１２１Ａが対象であれば、第１方向（左右方向）から見ることをいい、第２周壁１２２Ａが対象であれば、第２方向（上下方向）から見ることをいう。
【００６７】
取付部材５０は、周壁１２Ａの外側面Ｓ２を覆う部位を有していない。つまり、取付部材５０は、周壁１２Ａを挟んだ第１取付片５１の反対側に位置する部位を有していない。言い換えれば、取付部材５０は、第２取付片５２の第２端と繋がっており、かつ、第２取付片５２の第２端から周壁１２Ａの外側面Ｓ２に沿って延びる部位を有していない。更に言い換えれば、取付部材５０は、周壁１２Ａの厚さ方向において、第１取付片５１との間で周壁１２Ａを挟み込む部位を有していない。
【００６８】
本実施形態では、取付部材５０は、第１取付片５１及び第２取付片５２を１つの組片５４として、組片５４を複数（ここでは、３つ）有している。具体的には、第１方向の第１端（左端）側の取付金具５Ａでは、２つの組片５４は、それぞれ一対の第１周壁１２１Ａの長手方向の第１端（左端）に取り付けられている。また、残りの１つの組片５４は、第１方向の第１側（左側）の第２周壁１２２Ａに取り付けられている。同様に、第１方向の第２側（右側）の取付金具５Ａでは、２つの組片５４は、それぞれ一対の第１周壁１２１Ａの長手方向の第２端（右端）に取り付けられている。また、残りの１つの組片５４は、ハウジング１Ａの第１方向の第２端（右端）側の第２周壁１２２Ａに取り付けられている。つまり、３つの組片５４は、周壁１２Ａのうち、一対の第１周壁１２１Ａと、第２周壁１２２Ａと、にそれぞれ設けられている。
【００６９】
第３取付片５３は、第２方向（上下方向）に沿って長い矩形板状である。第３取付片５３は、３つの組片５４を一体に有している。具体的には、第３取付片５３の長手方向（上下方向）の両端は、それぞれ上下一対の第１取付片５１の長手方向の第２端（後端）と一体である。また、第１方向の第１側（左側）の取付金具５Ａでは、第３取付片５３の短手方向の一端（左端）は、第１取付片５１の長手方向の第２端（後端）と一体である。同様に、第１方向の第２側（右側）の取付金具５Ａでは、第３取付片５３の短手方向の一端（右端）は、第１取付片５１の長手方向の第２端（後端）と一体である。
【００７０】
ここで、既に述べたように、第１取付片５１は、第３方向（前後方向）において底壁１１Ａを貫通した状態でハウジング１Ａに取り付けられている。したがって、第１取付片５１の長手方向の第２端（後端）と一体である第３取付片５３は、第３方向の一端側（後側）において、ハウジング１Ａから露出している。（図８参照）。つまり、第１取付片５１は、底壁１１Ａの厚さ方向において底壁１１Ａを貫通している。そして、第３取付片５３は、第１取付片５１の底壁１１Ａ側の一端から底壁１１Ａに沿って延びている。
【００７１】
第３取付片５３の一面（後面）は、複数のコンタクト２Ａの一面（後面）と略面一であり、例えば半田付けにより基板７に接合される接合面となる。つまり、第３取付片５３は、基板７に接合される接合部５１１を有している。言い換えれば、取付部材５０は、基板７に接合される接合部５１１を有している。そして、接合部５１１は、第１取付片５１の底壁１１Ａ側の一端（ここでは、第３取付片５３）に設けられていると言える。
【００７２】
第３取付片５３は、凹所５３１を有している。凹所５３１は、第１方向の第１側（左側）の取付金具５Ａでは、第３取付片５３の短手方向の一端（右端）から他端（左端）に向かって窪んでいる。また、凹所５３１は、第１方向の第２側（右側）の取付金具５Ａでは、第３取付片５３の短手方向の一端（左端）から他端（右端）に向かって窪んでいる。つまり、第３取付片５３は、平面視で底壁１１Ａに沿って窪んだ凹所５３１を有している。ここで、「平面視」は、第３方向（前後方向）から見ることをいう。
【００７３】
また、第３取付片５３は、複数（ここでは、２つ）の端子部５３２を有している。２つの端子部５３２は、第３取付片５３の長手方向（上下方向）の両端から突出するように、第３取付片５３と一体である。端子部５３２は、第２方向（上下方向）に沿って長い矩形板状である。第２方向の第１側（上側）の端子部５３２は、第１方向（左右方向）において、第２方向の第１側（上側）の複数のコンタクト２Ａと並んでいる。同様に、第２方向の第２側（下側）の端子部５３２は、第１方向（左右方向）において、第２方向の第２側（下側）の複数のコンタクト２Ａと並んでいる。端子部５３２の一面（後面）は、複数のコンタクト２Ａの一面（後面）と略面一であり、例えば半田付けにより基板７に接合される接合面となる。
【００７４】
ここで、ハウジング１Ａには、複数（ここでは、６つ）の露出部１１１が設けられている（図８、図１０参照）。具体的には、ハウジング１Ａの第１方向の第１側（左側）では、３つの露出部１１１が、一対の第１周壁１２１Ａの第１方向の第１端（左端）と、第２周壁１２２Ａとにそれぞれ設けられている。また、ハウジング１Ａの第１方向の第２側（右側）では、３つの露出部１１１が、一対の第１周壁１２１Ａの第１方向の第２端（右端）と、第２周壁１２２Ａとにそれぞれ設けられている。
【００７５】
露出部１１１は、周壁１２Ａの後面から前向きに窪んでおり、対応する第１取付片５１の一部をハウジング１Ａから露出させる。例えば、第１方向の第１側（左側）においては、上側、下側、及び左側の露出部１１１は、それぞれ上側、下側、及び左側の第１取付片５１の一部をハウジング１Ａから露出させている。つまり、露出部１１１は、底壁１１Ａの厚さ方向（前後方向）に窪んでおり、取付部材５０の一部をハウジング１Ａから露出させる。
【００７６】
また、ハウジング１Ａは、複数（ここでは、２つ）の肉厚部１８を有している（図７、図９参照）。２つの肉厚部１８は、それぞれ嵌合凹部１３Ａの長手方向（左右方向）の両端に設けられている。肉厚部１８は、底壁１１Ａから前向きに突出するように、底壁１１Ａと一体である。肉厚部１８は、平面視で三角形状であり、底壁１１Ａと接する底面と、対応する第１取付片５１と接する起立面と、外部に臨む斜面と、を有している。ここで、「平面視」とは、第２方向（上下方向）から見ることをいう。具体的には、第１方向の第１側（左側）に設けられる肉厚部１８では、起立面が左側の第２周壁１２２Ａに設けられた第１取付片５１に接している。また、第１方向の第２側（右側）に設けられる肉厚部１８では、起立面が右側の第２周壁１２２Ａに設けられた第１取付片５１に接している。そして、２つの肉厚部１８は、いずれも底壁１１Ａと第１取付片５１との境界を覆っている。つまり、肉厚部１８は、底壁１１Ａと、取付部材５０のうち底壁１１Ａを貫通して周壁１２Ａの内側に露出する部位（第１取付片５１）との境界を覆っている。
【００７７】
また、ハウジング１Ａは、複数（ここでは、６つ）の突壁１９を有している（図７、図９参照）。６つの突壁１９は、いずれも矩形板状である。６つの突壁１９のうち４つの突壁１９は、いずれも第１周壁１２１Ａの第３方向の一端（前端）から第３方向に沿った向き（前向き）に突出している。また、残りの２つの突壁１９は、いずれも第２周壁１２２Ａの第３方向の一端（前端）から第３方向に沿った向き（前向き）に突出している。言い換えれば、突壁１９は、周壁１２Ａの繋ぎ面Ｓ３から第３方向（前後方向）に突出している。６つの突壁１９は、それぞれ対応する第２取付片５２の第２端と対向している。具体的には、第２方向の第１側（上側）において、２つの突壁１９は、それぞれ２つの第２取付片５２の第２端（上端）と対向している。また、第２方向の第２側（下側）において、２つの突壁１９は、それぞれ２つの第２取付片５２の第２端（下端）と対向している。また、第１方向の第１側（左側）において、突壁１９は、第２取付片５２の第２端（左端）と対向している。また、第１方向の第２側（右側）において、突壁１９は、第２取付片５２の第２端（右端）と対向している。このように、突壁１９は、第２取付片５２の外側面Ｓ２側の一端と対向している。
【００７８】
（４）接続システム
コネクタ１０１は、例えばスマートフォン等の電子機器に内蔵された基板７（以下、「第１基板７１」ともいう）に実装される（図１３参照）。また、コネクタ１０１に対応する他コネクタ１０２は、同じく電子機器に内蔵された他の基板７（以下、「第２基板７２」ともいう）に実装される（図１３参照）。
【００７９】
そして、図１３、図１４に示すように、コネクタ１０１を他コネクタ１０２に接続することにより、第１基板７１の有する第１導体と、第２基板７２の有する第２導体との間が電気的に接続される。具体的には、コネクタ１０１の複数のコンタクト２が、他コネクタ１０２の複数のコンタクト２Ａに電気的に接続されることで、コネクタ１０１が他コネクタ１０２に接続される。このとき、コネクタ１０１の複数（ここでは、４本）の信号端子３は、それぞれ他コネクタ１０２の対応する複数（ここでは、４本）の信号端子３Ａに電気的に接続される。また、コネクタ１０１の複数（ここでは、４本）の電源端子４は、それぞれ他コネクタ１０２の対応する複数（ここでは、４本）の電源端子４Ａに電気的に接続される。つまり、本実施形態では、コネクタ１０１と、他コネクタ１０２とで、接続システム１００が構成されている。言い換えれば、接続システム１００は、コネクタ１０１と、他コネクタ１０２と、を備えている。なお、図１３、図１４では、コネクタ１０１は、前後を反転させた状態で図示されている。後述する図１５Ａ、図１５Ｂにおいても同様である。
【００８０】
ここで、コネクタ１０１を他コネクタ１０２に接続するとき、図１５Ａ、図１５Ｂに示すように、接続端子６の対向片６２は、取付金具５Ａの第１取付片５１及び第２取付片５２に第１方向（左右方向）に沿った向きに押される。このため、接続端子６は、第１方向（左右方向）に沿った向きに弾性変形した状態で取付金具５Ａに接触する。具体的には、第１方向の第１側（左側）の接続端子６では、２つの対向片６２は、それぞれ右向きに弾性変形した状態で、取付金具５Ａの第１取付片５１に接触する。また、第１方向の第２側（右側）の接続端子６では、２つの対向片６２は、それぞれ左向きに弾性変形した状態で、取付金具５Ａの第１取付片５１に接触する。つまり、コネクタ１０１が他コネクタ１０２に接続された状態において、接続端子６は、元の状態に復帰しようとする弾性力を取付金具５Ａに与えている。
【００８１】
（５）利点
本実施形態のコネクタ１０１は、複数のコンタクト２とは別に、他コネクタ１０２の導電性を有する導電部（ここでは、取付金具５Ａ）に電気的に接続可能な接続端子６を有している。このため、コネクタ１０１を他コネクタ１０２に接続するときに、複数のコンタクト２だけでなく、接続端子６も他コネクタ１０２の導電部に電気的に接続することが可能である。また、接続端子６では、ハウジング１に保持されていない部位の少なくとも一部（本実施形態では、対向片６２及び繋ぎ片６３）が、導電部に接する部位であり、弾性変形可能である。
【００８２】
ここで、本実施形態のコネクタ１０１の比較例を挙げる。比較例のコネクタは、基本的な構成は本実施形態のコネクタ１０１と共通しているが、接続端子を有しておらず、取付金具が他コネクタ１０２の導電部に電気的に接続可能な構成を有している。比較例のコネクタは、本実施形態のコネクタ１０１と同様に、取付金具が他コネクタ１０２の導電部に電気的に接続可能である。しかしながら、取付金具は、ハウジングの強度を確保するために設けられていることから、多少は弾性変形が可能であったとしても、原則、弾性変形し難い構成である。したがって、比較例のコネクタでは、コネクタが他コネクタ１０２に接続されている状態において、取付金具が他コネクタ１０２の導電部に弾性変形した状態で接触し難く、弾性力を与え難い。
【００８３】
一方、本実施形態のコネクタ１０１では、接続端子６のハウジング１に保持されていない部位が弾性変形可能である。つまり、本実施形態のコネクタ１０１では、接続端子６は、他コネクタ１０２の導電部に弾性変形した状態で接触することができる。このため、接続端子６は、コネクタ１０１が他コネクタ１０２に接続されている状態において、他コネクタ１０２の導電部に弾性力を与えながら接触することができる。このように、本実施形態のコネクタ１０１は、比較例のコネクタと比較して、他コネクタ１０２との電気的接続の信頼性の向上を図ることができる。
【００８４】
また、本実施形態のコネクタ１０１では、接続端子６は、一部が一対の第２周壁１２２のうち少なくとも１つの第２周壁１２２に押し込まれることで、ハウジング１に保持されている。つまり、本実施形態のコネクタ１０１では、第２周壁１２２に対して接続端子６を押し込むという簡易なプロセスにより、一部が弾性変形可能な接続端子６をハウジング１に設けることが可能である。
【００８５】
ここで、本実施形態のコネクタ１０１では、接続端子６は、コネクタ１０１と他コネクタ１０２との接続状態を維持するためのロック機構としての用途ではなく、他コネクタ１０２の導電部との電気的接続を図る用途で用いられている。具体的には、接続端子６は、コネクタ１０１が他コネクタ１０２と接続されている状態において、他コネクタ１０２が実装される他の基板７（第２基板７２）の有する導体（第２導体）と電気的に接続可能である。言い換えれば、コネクタ１０１と、他コネクタ１０２と、他コネクタ１０２が実装される基板７と、を備えた接続システム１００において、接続端子６は、基板７の有する導体に電気的に接続される。この構成では、接続端子６が、コンタクト２に依らず、単体で基板７（第１基板７１）と基板７（第２基板７２）との間を電気的に接続することが可能である、という利点がある。例えば、本実施形態では、複数のコンタクト２は、信号端子３と、電源端子４とを含んでいるが、複数のコンタクト２は、全て信号端子３であってもよい。この場合、接続端子６を電源端子４として用いることも可能である。
【００８６】
また、本実施形態のコネクタ１０１では、接続端子６は、他コネクタ１０２の導電部の形状を問わず、他コネクタ１０２の導電部に弾性的に接触可能な形状で構成されている。この構成では、例えば他コネクタ１０２の導電部におけるコネクタ１０１との対向面が平坦であり、かつ、導電部が弾性を有していない場合でも、接続端子６が導電部に弾性的に接触することが可能である、という利点がある。
【００８７】
また、本実施形態のコネクタ１０１では、複数のコンタクト２の各々がロック機構を有しているので、接続端子６ではロック機構は不要である。このため、本実施形態では、接続端子６は、窪み等のロック機構を有していない。したがって、本実施形態では、接続端子６は、窪み等を設けていないことから可能な限り撓み量を稼ぐことができ、他コネクタ１０２の導電部に対する接触力を確保し易い、という利点がある。なお、接続端子６がロック機構を有するか否かは任意である。
【００８８】
また、本実施形態のコネクタ１０１では、例えば図１に示すように、接続端子６は、信号端子３を間に挟まずに、電源端子４の隣に位置するようにハウジング１に保持されている。この構成では、基板７における電源端子４及び接続端子６の接合部分（導体）の面積を稼ぎ易いので、例えば電源端子４へと流れる電流を接続端子６に分流する用途であれば、比較的大きな電流を流し易くなる、という利点がある。なお、接続端子６は、必ず電源端子４の隣に位置する必要はなく、例えば接続端子６と電源端子４との間に信号端子３が配置されていてもよい。
【００８９】
また、本実施形態のコネクタ１０１では、接続端子６の突部６２１は、ロック機構として機能しているのではなく、突部６２１及び他コネクタ１０２の導電部の表面に付着している異物を除去する除去機構として機能している。つまり、接続端子６の突部６２１は、他コネクタ１０２の導電部がロック機構に相当する構成を有していなくても、除去機構として機能する。特に、本実施形態では、接続端子６の突部６２１は、例えば図６Ａ〜図６Ｃに示すように、底壁１１と直交する第３方向（前後方向）を軸とする半円筒状であって、軸から離れるにしたがって対向片６２からの突出量が小さくなる曲面を有している。このため、本実施形態では、接続端子６が他コネクタ１０２の導電部と接触するときに、仮に異物が接続端子６又は導電部に付着していたとしても、異物が突部６２１の曲面に沿って対向片６２の外側に押し出され易く、異物が除去され易い、という利点がある。
【００９０】
また、本実施形態のコネクタ１０１では、接続端子６の主片６１は、ハウジング１からはみ出していない。言い換えれば、接続端子６の基板７（第１基板７１）との接合部分は、複数のコンタクト２の配列方向（左右方向）において、複数のコンタクト２と並んでいない。なお、接続端子６の主片６１がハウジング１からはみ出すか否かは任意である。
【００９１】
（６）変形例
以下、本実施形態の変形例を列挙する。以下に説明する変形例の基本的な構成は、いずれも本実施形態のコネクタ１０１と共通しているので、共通する点については説明を省略する。また、以下に説明する変形例は、いずれも接続システム１００において、本実施形態のコネクタ１０１の代わりに用いることが可能である。また、以下に説明する変形例は、適宜組み合わせて適用可能である。例えば、第１変形例及び第２変形例は、それぞれ第３変形例〜第７変形例のいずれかと組み合わせることが可能である。
【００９２】
（６．１）第１変形例
第１変形例のコネクタ１０１は、図１６、図１７に示すように、取付金具５を備えていない。本変形例では、一対の第２周壁１２２の各々には、接続端子６だけが取り付けられており、一対の取付金具５は取り付けられていない。この構成では、ハウジング１に取付金具５を取り付けるためのスペースを設ける必要がないので、ハウジング１の寸法（特に、ハウジング１の長手方向の寸法）を小さくすることができる。つまり、この構成では、コネクタ１０１の小型化を図ることができる。
【００９３】
（６．２）第２変形例
第２変形例のコネクタ１０１では、図１８に示すように、接続端子６の主片６１が一対の延長片６１３を有している点で、第１変形例のコネクタ１０１と異なっている。一対の延長片６１３は、それぞれ主片６１の短手方向の第２端（後端）、つまり底壁１１側の一端から底壁１１に沿って延びている。一対の延長片６１３は、主片６１の長手方向（上下方向）の両端から突出するように、主片６１と一体である。延長片６１３は、第２方向（上下方向）に沿って長い矩形板状である。第２方向の第１側（上側）の延長片６１３は、第１方向（左右方向）において、第２方向の第１側（上側）の複数のコンタクト２と並んでいる。同様に、第２方向の第２側（下側）の延長片６１３は、第１方向（左右方向）において、第２方向の第２側（下側）の複数のコンタクト２と並んでいる。
【００９４】
延長片６１３の一面（後面）は、複数のコンタクト２の一面（後面）と略面一であり、例えば半田付けにより基板７に接合される接合面となる。つまり、本変形例では、接合部６１１は、延長片６１３に更に設けられている。この構成では、取付金具５の第２片５０２の代わりに、延長片６１３を基板７に接合することが可能である。
【００９５】
（６．３）第３変形例
第３変形例のコネクタ１０１では、図１９Ａ〜図１９Ｃに示すように、接続端子６の２つの対向片６２は、いずれも突部６２１を有していない。接続端子６は、本変形例のように突部６２１を有していない構成であっても、コネクタ１０１が他コネクタ１０２に接続されている状態において、他コネクタ１０２の導電部に弾性力を与えながら接触することができる。また、この構成では、接続端子６が突部６２１を有する場合と比較して、接続端子６の製造が容易である。
【００９６】
（６．４）第４変形例
第４変形例のコネクタ１０１では、図２０Ａ〜図２０Ｃに示すように、接続端子６は、１つの対向片６２と、１つの繋ぎ片６３と、を有している。つまり、本変形例では、接続端子６の対向片６２及び繋ぎ片６３は、主片６１の短手方向の第１端（前端）から二股に分かれていない。また、本変形例では、１つの対向片６２の一面に、２つの突部６２１が第２方向（上下方向）に間隔を空けて設けられている。この構成では、対向片６２及び繋ぎ片６３が二股に分かれる構成と比較して、接続端子６の製造が容易である。
【００９７】
（６．５）第５変形例
第５変形例のコネクタ１０１では、図２１Ａ〜図２１Ｃに示すように、接続端子６は、１つの対向片６２と、１つの繋ぎ片６３と、を有している。つまり、本変形例は、第４変形例と同様に、対向片６２及び繋ぎ片６３が二股に分かれていない。また、本変形例では、対向片６２は、１つの突部６２１だけを有している。この構成では、接続端子６が複数の突部６２１を有する場合と比較して、接続端子６の製造が容易である。
【００９８】
（６．６）第６変形例
第６変形例のコネクタ１０１では、図２２Ａ〜図２２Ｃに示すように、接続端子６は、１つの対向片６２と、１つの繋ぎ片６３と、を有している。つまり、本変形例は、第４変形例と同様に、対向片６２及び繋ぎ片６３が二股に分かれていない。また、本変形例では、対向片６２は、突部６２１を有していない。この構成では、接続端子６が突部６２１を有する場合と比較して、接続端子６の製造が容易である。
【００９９】
上述の第４変形例〜第６変形例のように、接続端子６は、２つの対向片６２及び２つの繋ぎ片６３を有する構成に限定されず、１つの対向片６２及び１つの繋ぎ片６３を有する構成であってもよい。その他、接続端子６は、３以上の対向片６２及び３以上の繋ぎ片６３を有する構成であってもよい。また、対向片６２は、１つの突部６２１を有する構成に限定されず、２つの突部６２１を有する構成であってもよいし、突部６２１を有していない構成であってもよい。その他、対向片６２は、３以上の突部６２１を有する構成であってもよい。
【０１００】
（６．７）第７変形例
本実施形態のコネクタ１０１では、例えば図２に示すように、底壁１１の第１方向（左右方向）の両端は、それぞれ第１方向（左右方向）に沿って延びる一対の延長壁１１２と一体である。そして、本実施形態のコネクタ１０１では、第１方向の第１側（左側）及び第２側（右側）のいずれにおいても、一対の延長壁１１２と主片６１との間には隙間が設けられている。これに対して、第７変形例のコネクタ１０１では、図２３に示すように、第１方向の第１側（左側）及び第２側（右側）のいずれにおいても、一対の延長壁１１２が主片６１と接しており、一対の延長壁１１２と主片６１との間に隙間が設けられていない。なお、図２３では、コネクタ１０１の第１方向の第１側（左側）だけを図示している。
【０１０１】
ここで、本実施形態のコネクタ１０１のように、一対の延長壁１１２と主片６１との間に隙間が設けられている場合、以下のような利点がある。すなわち、主片６１の短手方向の第２端の一面（後面）を半田付けにより基板７に接合するときに、上記の隙間に半田が広がることで、フィレットが形成され易い。したがって、この構成では、主片６１（つまり、接続端子６）が基板７に対して強固に接合され易く、結果として、コネクタ１０１が基板７に強固に固定され易い。
【０１０２】
一方、本変形例のコネクタ１０１のように、一対の延長壁１１２と主片６１との間に隙間が設けられていない場合、以下のような利点がある。すなわち、主片６１に第１方向（左右方向）に沿った向きの応力が加わった場合に、この応力を一対の延長壁１１２が受けることで、主片６１が塑性変形し難い。したがって、この構成では、主片６１（つまり、接続端子６）の強度を向上することができる。更に、この構成では、接続端子６を第２周壁１２２の溝１４に押し込むときに、一対の延長壁１１２により主片６１が溝１４に案内されるので、主片６１の位置決めの精度を向上することができる。
【０１０３】
（６．８）その他の変形例
本実施形態のコネクタ１０１では、接続端子６は、他コネクタ１０２の取付金具５Ａに電気的に接続可能であるが、これに限定する趣旨ではない。例えば、他コネクタ１０２が取付金具５Ａを有していない場合でも、接続端子６は、他コネクタ１０２の導電性を有する導電部に接続可能であればよい。
【０１０４】
本実施形態のコネクタ１０１では、一対の第２周壁１２２の各々に１つの接続端子６が設けられているが、他の構成であってもよい。例えば、一対の第２周壁１２２の各々に複数の接続端子６が設けられていてもよい。また、接続端子６は、第２周壁１２２の他に、第１周壁１２１にも設けられていてもよい。この場合、第１周壁１２１は、接続端子６の一部（ここでは、主片６１）が押し込まれる溝を有していればよい。
【０１０５】
本実施形態のコネクタ１０１では、第１周壁１２１の長手方向の寸法が第２周壁１２２の長手方向の寸法よりも大きくなっているが、他の構成であってもよい。例えば、第１周壁１２１の長手方向の寸法は、第２周壁１２２の長手方向の寸法よりも小さくてもよい。また、第１周壁１２１の長手方向の寸法は、第２周壁１２２の長手方向の寸法と略同じであってもよい。この場合、本実施形態の他コネクタ１０２も、コネクタ１０１の形状に合わせて適宜変更される。
【０１０６】
本実施形態のコネクタ１０１では、接続端子６のうち対向片６２及び繋ぎ片６３が弾性変形可能であるが、他の構成であってもよい。例えば、接続端子６のうち対向片６２だけが弾性変形可能であってもよい。つまり、接続端子６は、ハウジング１に保持されていない部位が弾性変形可能に構成されていればよい。
【０１０７】
本実施形態のコネクタ１０１では、主片６１がハウジング１に保持されている状態において、対向片６２及び繋ぎ片６３と、ハウジング１との間には、それぞれハウジング１の短手方向（上下方向）に隙間が生じているが、隙間は生じていなくてもよい。つまり、対向片６２及び繋ぎ片６３は、ハウジング１に接しながら弾性変形する構成であってもよい。
【０１０８】
本実施形態のコネクタ１０１では、接続端子６の主片６１は、塑性変形した状態でハウジング１に保持されているが、他の構成であってもよい。例えば、主片６１が塑性変形するのではなく、ハウジング１が塑性変形した状態で、主片６１がハウジング１に保持されていてもよい。また、主片６１及びハウジング１のいずれもが塑性変形した状態で、主片６１がハウジング１に保持されていてもよい。
【０１０９】
第２変形例のコネクタ１０１は、取付金具５を備えていないが、取付金具５を備えていてもよい。つまり、一対の第２周壁１２２の各々には、延長片６１３を有する接続端子６と、一対の取付金具５との両方が設けられていてもよい。
【０１１０】
第３変形例〜第６変形例のコネクタ１０１では、いずれも接続端子６の主片６１は避け部６１０を有していないが、他の構成であってもよい。つまり、第３変形例〜第６変形例のコネクタ１０１においても、接続端子６の主片６１は、避け部６１０を有していてもよい。
【０１１１】
本実施形態の他コネクタ１０２では、取付金具５Ａの取付部材５０は、３つの組片５４を有しているが、この構成に限定する趣旨ではない。例えば、取付部材５０は、１つの組片５４だけを有していてもよいし、２つの組片５４だけを有していてもよい。取付部材５０が２つの組片５４を有する場合、２つの組片５４は、一対の第１周壁１２１Ａにそれぞれ設けられるのが好ましい。
【０１１２】
本実施形態の他コネクタ１０２では、突壁１９は、第２取付片５２の外側面Ｓ２側の一端と接しているが、接していなくてもよい。つまり、突壁１９と第２取付片５２の外側面Ｓ２側の一端との間には、隙間があってもよい。
【０１１３】
本実施形態の他コネクタ１０２では、取付部材５０は第３取付片５３を有しているが、他の構成であってもよい。例えば、取付部材５０は、第３取付片５３を有していなくてもよい。この構成では、第１取付片５１の長手方向の第２端（後端）、つまり底壁１１Ａ側の一端が、ハウジング１Ａの厚さ方向の一端側（後側）において、ハウジング１Ａから露出する。そして、この構成において、第１取付片５１の長手方向の第２端の一面（後面）は、複数のコンタクト２Ａの一面（後面）と略面一であれば、例えば半田付けにより基板７に接合される接合面となる。つまり、この場合、接合部５１１は、第１取付片５１の底壁１１Ａ側の一端に設けられていると言える。
【０１１４】
本実施形態の他コネクタ１０２では、第３取付片５３は、複数の端子部５３２を有しているが、他の構成であってもよい。例えば、第３取付片５３は、端子部５３２を有していなくてもよい。
【０１１５】
本実施形態の接続システム１００では、コネクタ１０１がヘッダであり、他コネクタ１０２がソケットであるが、これに限定する趣旨ではない。つまり、接続システム１００において、コネクタ１０１がソケットであり、他コネクタ１０２がヘッダであってもよい。
【０１１６】
（実施形態２）
（１）詳細
以下、実施形態２に係るコネクタ１０１について説明する。ただし、本実施形態のコネクタ１０１は、基本的な構成が実施形態１のコネクタ１０１と共通しているので、共通する構成については説明を省略する。また、本実施形態のコネクタ１０１は、実施形態１のコネクタ１０１と同様に、他コネクタ１０２とで接続システム１００を構成することが可能である。
【０１１７】
本実施形態のコネクタ１０１では、図２４〜図２７に示すように、ハウジング１が、接続端子６をインサート品とするインサート成形品である点で、実施形態１のコネクタ１０１と異なっている。言い換えれば、一対の接続端子６は、インサート成形品であるハウジング１のインサート品として、それぞれ一対の第２周壁１２２に保持されている。
【０１１８】
本実施形態では、主片６１と、繋ぎ片６３の一部とは、第２周壁１２２の溝１４において、ハウジング１のインサート品として、ハウジング１に保持されている。つまり、接続端子６は、一部（主片６１、及び繋ぎ片６３の一部）がハウジング１に保持されるように構成されている。
【０１１９】
また、本実施形態では、溝１４において、対向片６２と主片６１との間には、壁部１５が設けられている。壁部１５は、第２方向（上下方向）に長い矩形板状である。壁部１５は、ハウジング１の底壁１１と一体であり、底壁１１から底壁１１の厚さ方向に沿った向き（ここでは、前向き）に突出している。つまり、ハウジング１は、主片６１と対向片６２との間に設けられる壁部１５を更に有している。
【０１２０】
対向片６２と壁部１５（つまり、主片６１）との間には、空隙が設けられている。また、接続端子６のうち対向片６２及び繋ぎ片６３（繋ぎ片６３の一部を除く）は、ハウジング１には保持されていない。このため、対向片６２及び繋ぎ片６３（繋ぎ片６３の一部を除く）は、弾性変形することが可能である。特に、対向片６２は、第１方向（左右方向）において弾性変形することが可能である。つまり、接続端子６では、ハウジング１に保持されていない部位（対向片６２及び繋ぎ片６３（繋ぎ片６３の一部を除く））が弾性変形可能である。
【０１２１】
本実施形態のコネクタ１０１を他コネクタ１０２に接続するとき、実施形態１の接続端子６と同様に、接続端子６の対向片６２は、取付金具５Ａの第１取付片５１及び第２取付片５２に第１方向（左右方向）に沿った向きに押される（図２８Ａ及び図２８Ｂ参照）。このため、接続端子６は、第１方向（左右方向）に沿った向きに弾性変形した状態で取付金具５Ａに接触する。つまり、コネクタ１０１が他コネクタ１０２に接続された状態において、接続端子６は、元の状態に復帰しようとする弾性力を取付金具５Ａに与えている。
【０１２２】
本実施形態のコネクタ１０１では、インサート成形という簡易なプロセスにより、一部が弾性変形可能な接続端子６をハウジング１に設けることが可能である。
【０１２３】
（２）変形例
以下、本実施形態の変形例を列挙する。以下に説明する変形例の基本的な構成は、いずれも本実施形態のコネクタ１０１と共通しているので、共通する点については説明を省略する。また、以下に説明する変形例は、いずれも接続システム１００において、本実施形態のコネクタ１０１の代わりに用いることが可能である。また、以下に説明する変形例は、実施形態１のコネクタ１０１の変形例と適宜組み合わせて適用可能である。
【０１２４】
（２．１）第１変形例
第１変形例のコネクタ１０１は、図２９、図３０に示すように、取付金具５を備えていない点で本実施形態のコネクタ１０１と異なっている。本変形例では、一対の第２周壁１２２の各々には、接続端子６だけが取り付けられており、一対の取付金具５は取り付けられていない。この構成では、ハウジング１に取付金具５を取り付けるためのスペースを設ける必要がないので、ハウジング１の寸法（特に、ハウジング１の長手方向の寸法）を小さくすることができる。つまり、この構成では、コネクタ１０１の小型化を図ることができる。
【０１２５】
（２．２）第２変形例
第２変形例のコネクタ１０１は、図３１に示すように、接続端子６の主片６１が一対の延長片６１３を有している点で第１変形例のコネクタ１０１と異なっている。この構成では、取付金具５の第２片５０２の代わりに、延長片６１３を基板７に接合することが可能である。
【０１２６】
（２．３）第３変形例
本実施形態のコネクタ１０１では、例えば図２５に示すように、底壁１１の第１方向（左右方向）の両端は、それぞれ第１方向（左右方向）に沿って延びる一対の延長壁１１２と一体である。そして、本実施形態のコネクタ１０１では、第１方向の第１側（左側）及び第２側（右側）のいずれにおいても、一対の延長壁１１２が主片６１と接しており、一対の延長壁１１２と主片６１との間に隙間が設けられていない。これに対して、第３変形例のコネクタ１０１は、図３２に示すように、第１方向の第１側（左側）及び第２側（右側）のいずれにおいても、一対の延長壁１１２と主片６１との間には隙間が設けられている。なお、図３２では、コネクタ１０１の第１方向の第１側（左側）だけを図示している。
【０１２７】
この構成では、主片６１の短手方向の第２端の一面（後面）を半田付けにより基板７に接合するときに、上記の隙間に半田が広がることで、フィレットが形成され易い。したがって、この構成では、主片６１（つまり、接続端子６）が基板７に対して強固に接合され易く、結果として、コネクタ１０１が基板７に強固に固定され易い。
【０１２８】
上述の第１変形例〜第３変形例は、それぞれ実施形態１の第３変形例〜第６変形例のいずれかと組み合わせることが可能である。すなわち、第１変形例〜第３変形例の各々の接続端子６は、実施形態１の第３変形例〜第６変形例のいずれかの接続端子６に置き換えられてもよい。
【０１２９】
（まとめ）
以上述べたように、第１の態様のコネクタ（１０１）は、複数のコンタクト（２）と、ハウジング（１）と、接続端子（６）と、を備える。ハウジング（１）は、複数のコンタクト（２）を保持する。接続端子（６）は、導電性を有し、他コネクタ（１０２）の導電性を有する導電部に電気的に接続可能である。ハウジング（１）は、底壁（１１）と、底壁（１１）を囲む周壁（１２）と、を有する。周壁（１２）は、一対の第１周壁（１２１）と、一対の第２周壁（１２２）と、を有する。一対の第１周壁（１２１）は、少なくとも一方が複数のコンタクト（２）を配列方向に並んだ状態で保持する。一対の第２周壁（１２２）は、それぞれ一対の第１周壁（１２１）の端部同士を繋ぐ。接続端子（６）は、一部が一対の第２周壁（１２２）のうち少なくとも１つの第２周壁（１２２）に保持される。接続端子（６）のうちハウジング（１）に保持されていない部位の少なくとも一部は、導電部に接する部位であり、弾性変形可能である。
【０１３０】
この構成によれば、コネクタ（１０１）を他コネクタ（１０２）に接続するときに、複数のコンタクト（２）だけでなく、接続端子（６）も他コネクタ（１０２）の導電部に電気的に接続することが可能である。また、この構成によれば、コネクタ（１０１）が他コネクタ（１０２）に接続されている状態において、接続端子（６）が他コネクタ（１０２）の導電部に弾性力を与えながら接触する。したがって、この構成によれば、他コネクタ（１０２）との電気的接続の信頼性の向上を図ることができる。
【０１３１】
また、第２の態様のコネクタ（１０１）では、第１の態様において、接続端子（６）は、複数のコンタクト（２）のうち一部のコンタクト（２）と同電位に電気的に接続されている。
【０１３２】
この構成によれば、接続端子（６）を一部のコンタクト（２）として機能させることができる。そして、この構成によれば、一部のコンタクト（２）に流れる電流が接続端子（６）に分岐するため、接続端子（６）を含めた一部のコンタクト（２）の定格電流を大きくすることができる。
【０１３３】
例えば、接続端子（６）が電源端子（４）と同電位に電気的に接続されていると仮定する。この構成では、接続端子（６）は、電源端子（４）として機能する。また、この構成では、接続端子（６）と電源端子（４）とに分かれて電流が流れるので、接続端子（６）を含めた電源端子（４）の定格電流を大きくすることができる。
【０１３４】
ここで、接続端子（６）が電源端子（４）と同電位に電気的に接続されており、かつ、接続端子（６）が突部（６２１）を有している場合、又は底壁（１１）と直交する方向に延びている突部（６２１）を有している場合、以下のような利点がある。すなわち、これらの場合、突部（６２１）により接続端子（６）及び他コネクタ（１０２）の導電部の接触部位の接触抵抗が小さくなるため、接続端子（６）に電流が流れ易くなる。このため、接続端子（６）と電源端子（４）とに均等に電流が流れ易くなり、電源端子（４）に集中して電流が流れ難くなる。その結果として、接続端子（６）を含めた電源端子（４）の定格電流をより大きくすることが可能である。
【０１３５】
ただし、第２の態様の構成は必須ではなく、全てのコンタクト（２）と接続端子（６）とは、互いに異なる電位に電気的に接続されるように構成されていてもよい。例えば、コネクタ（１０１）が実装される基板（第１基板（７１））において、接続端子（６）が実装される導体と、コンタクト（２）が実装される導体とは、互いに異なっていてもよい。つまり、接続端子（６）は、コンタクト（２）から独立した端子として使用されてもよい。
【０１３６】
また第３の態様のコネクタ（１０１）では、第２の態様において、複数のコンタクト（２）は、信号伝送用の信号端子（３）と、電源と電気的に接続される電源端子（４）と、を有している。接続端子（６）は、電源端子（４）と同電位に電気的に接続されている。
【０１３７】
この構成によれば、接続端子（６）と電源端子（４）とに分かれて電流が流れるので、接続端子（６）を含めた電源端子（４）の定格電流を大きくすることができる。
【０１３８】
また、第４の態様のコネクタ（１０１）では、第１〜第３のいずれかの態様において、接続端子（６）は、コネクタ（１０１）が他コネクタ（１０２）と接続されている状態において、他コネクタ（１０２）が実装される基板（第２基板（７２））の有する導体（第２導体）と電気的に接続される。
【０１３９】
この構成によれば、接続端子（６）が、コンタクト（２）に依らず、単体で基板（７）（第１基板（７１））と基板（７）（第２基板（７２））との間を電気的に接続することができる。
【０１４０】
また、コネクタ（１０１）では、第１〜第３のいずれかの態様において、複数のコンタクト（２）は、一対の第１周壁（１２１）の各々に設けられてもよい。
【０１４１】
この構成によれば、他コネクタ（１０２）の第１方向（左右方向）に沿った向きを問わず、他コネクタ（１０２）をコネクタ（１０１）に電気的に接続することができる。ただし、この構成は必須ではなく、複数のコンタクト（２）は、一対の第１周壁（１２１）のうち一方だけに設けられていてもよい。
【０１４２】
また、第５の態様のコネクタ（１０１）では、第１〜第４のいずれかの態様において、接続端子（６）は、一対の第２周壁（１２２）の各々に設けられる。
【０１４３】
この構成によれば、他コネクタ（１０２）の第１方向（左右方向）に沿った向きを問わず、他コネクタ（１０２）をコネクタ（１０１）に電気的に接続することができる。ただし、この構成は必須ではなく、接続端子（６）は、一対の第２周壁（１２２）のうち一方だけに設けられていてもよい。
【０１４４】
また、第６の態様のコネクタ（１０１）では、第１〜第５のいずれかの態様において、接続端子（６）は、主片（６１）と、対向片（６２）と、繋ぎ片（６３）と、を有する。主片（６１）は、ハウジング（１）に保持される。対向片（６２）は、主片（６１）と間隔を空けて対向し、第２周壁（１２２）から露出する。繋ぎ片（６３）は、主片（６１）及び対向片（６２）の端部同士を繋ぐ。
【０１４５】
この構成によれば、主片（６１）と対向片（６２）との間に隙間があることから、対向片（６２）が弾性変形し易く、また、塑性変形し難い。ただし、この構成は必須ではなく、例えば、主片（６１）及び繋ぎ片（６３）がハウジング（１）に保持され、対向片（６２）だけがハウジング（１）に保持されない構成であってもよい。その他、接続端子（６）は、主片（６１）を有さずに、繋ぎ片（６３）がハウジング（１）に保持され、対向片（６２）だけがハウジング（１）に保持されない構成であってもよい。
【０１４６】
また、第７の態様のコネクタ（１０１）では、第６の態様において、接続端子（６）は、基板（７）に接合される接合部（６１１）を更に有する。接合部（６１１）は、主片（６１）の底壁（１１）側の一端に設けられる。
【０１４７】
この構成によれば、半田付けにより接合部（６１１）を基板（７）に接合することで、接続端子（６）を基板（７）に固定することができる。このため、この構成によれば、接合部（６１１）を有していない場合と比較して、接続端子（６）の強度を向上することができる。ただし、この構成は必須ではなく、接続端子（６）は、接合部（６１１）を有していなくてもよい。つまり、接続端子（６）は、基板（７）に固定されていなくてもよい。
【０１４８】
また、第８の態様のコネクタ（１０１）では、第７の態様において、主片（６１）は、延長片（６１３）を有する。延長片（６１３）は、主片（６１）の底壁（１１）側の一端から底壁（１１）に沿って延びている。接合部（６１１）は、延長片（６１３）に更に設けられる。
【０１４９】
この構成によれば、延長片（６１３）の分だけ、接続端子（６）のうち基板（７）に固定される部位の面積が増大する。このため、この構成によれば、延長片（６１３）を有していない場合と比較して、接続端子（６）を基板（７）により強固に固定することができ、接続端子（６）の強度を更に向上することができる。ただし、この構成は必須ではなく、主片（６１）は、延長片（６１３）を有していなくてもよい。また、主片（６１）が延長片（６１３）を有している場合であっても、延長片（６１３）には、接合部（６１１）が設けられていなくてもよい。
【０１５０】
また、第９の態様のコネクタ（１０１）は、第１〜第８のいずれかの態様において、ハウジング（１）に取り付けられる取付金具（５）を更に備える。一対の第２周壁（１２２）のうち接続端子（６）が設けられる第２周壁（１２２）は、取付金具（５）をインサート品とするインサート成形品である。
【０１５１】
この構成によれば、取付金具（５）により第２周壁（１２２）の強度が向上するので、取付金具（５）が取り付けられる第２周壁（１２２）に加えられる応力が、この第２周壁（１２２）に設けられた接続端子（６）に伝わり難い。このため、この構成によれば、接続端子（６）が塑性変形し難い。また、この構成によれば、接続端子（６）の形状が変化し難いので、接続端子（６）の第２周壁（１２２）に対する位置ずれを低減することができる。また、例えば半田付けにより取付金具（５）が基板（７）に固定される場合、第２周壁（１２２）も基板（７）に対して固定されるので、この第２周壁（１２２）に設けられる接続端子（６）が第２周壁（１２２）により保持され易くなる。ただし、この構成は必須ではなく、取付金具（５）は、第２周壁（１２２）に押し込むことにより、第２周壁（１２２）に取り付けられてもよい。また、コネクタ（１０１）は、取付金具（５）を備えていなくてもよい。
【０１５２】
また、第１０の態様のコネクタ（１０１）では、第６の態様において、対向片（６２）は、一対の第２周壁（１２２）が並ぶ方向に沿った向きに突出する突部（６２１）を有する。
【０１５３】
この構成によれば、コネクタ（１０１）が他コネクタ（１０２）に接続されている状態において、接続端子（６）は、突部（６２１）を有していない場合よりも他コネクタ（１０２）の導電部に接触し易い。このため、この構成によれば、接続端子（６）及び導電部の接触部位の接触抵抗を小さくすることができ、接続端子（６）に電流を流れ易くすることができる。また、この構成によれば、異物による接触不良が生じる可能性を低減することができる。すなわち、コネクタ（１０１）に他コネクタ（１０２）を接続するときに、突部（６２１）が導電部の表面を擦りながら動くために、突部（６２１）及び導電部の表面に付着している異物を除去することが可能である。ただし、この構成は必須ではなく、接続端子（６）は、突部（６２１）を有していなくてもよい。
【０１５４】
また、第１１の態様のコネクタ（１０１）では、第１０の態様において、突部（６２１）は、底壁（１１）と直交する方向に沿って延びている。
【０１５５】
この構成によれば、突部（６２１）における他コネクタ（１０２）の導電部との接触面積が増大する。このため、この構成によれば、接続端子（６）及び導電部の接触部位の接触抵抗をより小さくすることができ、接続端子（６）に電流を流れ易くすることができる。また、この構成によれば、コネクタ（１０１）に他コネクタ（１０２）を接続するときに、突部（６２１）が底壁（１１）と直交する方向に延びていない場合と比較して、突部（６２１）が導電部の表面を擦る面積が増大する。このため、この構成によれば、突部（６２１）及び導電部の表面に付着している異物を除去し易く、異物による接触不良が生じる可能性をより低減することができる。ただし、この構成は必須ではなく、突部（６２１）は、底壁（１１）と直交する方向に延びていなくてもよい。
【０１５６】
また、第１２の態様のコネクタ（１０１）では、第６の態様において、接続端子（６）は、対向片（６２）を複数有する。
【０１５７】
この構成によれば、接続端子（６）が１つの対向片（６２）だけを有している場合と比較して、接続端子（６）と他コネクタ（１０２）の導電部との電気的接続の信頼性を向上することができる。ただし、この構成は必須ではなく、接続端子（６）は、１つの対向片（６２）だけを有していてもよい。
【０１５８】
また、第１３の態様のコネクタ（１０１）では、第１〜第１２のいずれかの態様において、接続端子（６）は、一部が一対の第２周壁（１２２）のうち少なくとも１つの第２周壁（１２２）に押し込まれることでハウジング（１）に保持される。
【０１５９】
この構成によれば、第２周壁（１２２）に対して接続端子（６）を押し込むという簡易なプロセスにより、一部が弾性変形可能な接続端子（６）をハウジング（１）に設けることが可能である。ただし、この構成は必須ではなく、接続端子（６）は、他の手段によりハウジング（１）に保持されていてもよい。
【０１６０】
また、第１４の態様のコネクタ（１０１）では、第６の態様において、接続端子（６）は、一部が一対の第２周壁（１２２）のうち少なくとも１つの第２周壁（１２２）に押し込まれることでハウジング（１）に保持される。主片（６１）は、避け部（６１０）を有する。避け部（６１０）は、主片（６１）の繋ぎ片（６３）に繋がる一端の角部に設けられて、接続端子（６）を第２周壁（１２２）に押し込む向きとは反対の向きに窪んでいる。
【０１６１】
この構成によれば、主片（６１）を第２周壁（１２２）に押し込むときに、第２周壁（１２２）の一部が削られ難い。このため、この構成によれば、第２周壁（１２２）が削られることで発生する異物が生じ難く、接続端子（６）に異物が付着し難い。ただし、この構成は必須ではなく、主片（６１）は避け部（６１０）を有していなくてもよい。
【０１６２】
また、第１５の態様のコネクタ（１０１）では、第７の態様において、主片（６１）は、凹部（６１２）を更に有する。凹部（６１２）は、主片（６１）の底壁（１１）側の一端に設けられて、底壁（１１）側の一端から他端に向かって窪んでいる。
【０１６３】
この構成によれば、半田付けにより接合部（６１１）を基板（７）に接合するときに、凹部（６１２）に半田が広がり易く、フィレットが形成され易い。このため、この構成によれば、主片（６１）を基板（７）に対してより強固に接合することができる。ただし、この構成は必須ではなく、主片（６１）は凹部（６１２）を有していなくてもよい。
【０１６４】
また、第１６の態様のコネクタ（１０１）では、第１〜第１２、及び第１５のいずれかの態様において、ハウジング（１）は、接続端子（６）をインサート品とするインサート成形品である。
【０１６５】
この構成によれば、インサート成形という簡易なプロセスにより、一部が弾性変形可能な接続端子（６）をハウジング（１）に設けることが可能である。ただし、この構成は必須ではなく、接続端子（６）は、他の手段によりハウジング（１）に保持されていてもよい。
【０１６６】
また、第１７の態様のコネクタ（１０１）では、第６の態様において、ハウジング（１）は、接続端子（６）をインサート品とするインサート成形品である。ハウジングは、主片（６１）と対向片（６２）との間に設けられる壁部（１５）を更に有している。
【０１６７】
この構成によれば、仮に対向片（６２）が過度に弾性変形しようとしても、対向片（６２）が壁部（１５）に接することにより、対向片（６２）の移動が制限される。つまり、この構成によれば、対向片（６２）が過度に弾性変形する可能性を低減することができる。ただし、この構成は必須ではなく、ハウジング（１）は、壁部（１５）を有していなくてもよい。
【０１６８】
また、第１８の態様のソケットは、第１〜第１７のいずれかの態様のコネクタ（１０１）としてのヘッダに接続される他コネクタ（１０２）としてのソケットである。ソケットは、ヘッダの複数のコンタクト（２）に電気的に接続される複数の他コネクタ側コンタクト（２Ａ）を有する。
【０１６９】
この構成によれば、ヘッダとソケットとの電気的接続の信頼性の向上を図ることができるソケットを実現することができる。
【０１７０】
また、第１９の態様の接続システム（１００）は、第１〜第１７のいずれかの態様のコネクタ（１０１）と、他コネクタ（１０２）と、を備える。他コネクタ（１０２）は、複数のコンタクト（２）に電気的に接続される複数の他コネクタ側コンタクト（２Ａ）を有する。
【０１７１】
この構成によれば、コネクタ（１０１）と他コネクタ（１０２）との電気的接続の信頼性の向上を図ることができる接続システム（１００）を実現することができる。
【０１７２】
ところで、コネクタ（１０１）は、上述の第１〜第１７の態様に依らず、以下の第１〜第１１の態様のいずれかの態様の他コネクタ（１０２）と接続される構成であってもよい。つまり、コネクタ（１０１）は、以下の第１〜第１１の態様のいずれかの態様の他コネクタ（１０２）と接続される構成であれば、上述の第１〜第１７の態様のいずれかの態様である必要はない。
【０１７３】
第１の態様の他コネクタ（１０２）は、取付金具（５Ａ）を備える。取付金具（５Ａ）は、取付部材（５０）を備える。取付部材（５０）は、複数のコンタクト（２Ａ）を有する他コネクタ（１０２）のハウジング（１Ａ）に取り付けられる。ハウジング（１Ａ）は、底壁（１１Ａ）と、底壁（１１Ａ）を囲む周壁（１２Ａ）と、を有する。取付部材（５０）は、第１取付片（５１）と、第２取付片（５２）と、を有する。第１取付片（５１）は、周壁（１２Ａ）の内側面（Ｓ１）の少なくとも一部を覆う。第２取付片（５２）は、第１取付片（５１）と繋がっており、周壁（１２Ａ）の外側面（Ｓ２）と内側面（Ｓ１）とを繋ぐ繋ぎ面（Ｓ３）の少なくとも一部を覆う。取付部材（５０）は、周壁（１２Ａ）を挟んだ第１取付片（５１）の反対側に位置する部位（以下、「反対側部位」という）を有していない。
【０１７４】
この構成によれば、取付部材（５０）が反対側部位を有する場合と比較して、取付金具（５Ａ）のハウジング（１Ａ）に対する体積比の低減を図ることができる。このため、この構成によれば、取付部材（５０）が反対側部位を有する場合と比較して、他コネクタ（１０２）の小型化を図ることができる。また、他コネクタ（１０２）の大きさが所定の大きさに規定されている場合、取付部材（５０）が反対側部位を有する場合と比較して、ハウジング（１Ａ）の強度を向上することができる。
【０１７５】
第２の態様の他コネクタ（１０２）では、第１の態様において、第１取付片（５１）は、底壁（１１Ａ）の厚さ方向において底壁（１１Ａ）を貫通している。そして、取付部材（５０）は、第３取付片（５３）を更に有する。第３取付片（５３）は、第１取付片（５１）の底壁（１１Ａ）側の一端から底壁（１１Ａ）に沿って延びている。
【０１７６】
この構成によれば、他コネクタ（１０２）にコネクタ（１０１）を接続するときに、底壁（１１Ａ）の厚さ方向に沿った向きの応力が底壁（１１Ａ）に加わっても、この応力を第３取付片（５３）にて受けることができる。このため、この構成によれば、第３取付片（５３）を有していない場合と比較して、底壁（１１Ａ）、つまりハウジング（１Ａ）の強度を向上することができる。ただし、この構成は必須ではなく、取付部材（５０）は、第３取付片（５３）を有していなくてもよい。更に、第１取付片（５１）は、底壁（１１Ａ）を貫通していなくてもよい。
【０１７７】
第３の態様の他コネクタ（１０２）では、第２の態様において、第３取付片（５３）は、凹所（５３１）を有する。凹所（５３１）は、平面視で底壁（１１Ａ）に沿って窪んでいる。
【０１７８】
この構成によれば、半田付けにより第３取付片（５３）を基板（７）に接合する場合、凹所（５３１）に半田が広がり易く、フィレットが形成され易い。このため、この構成によれば、第３取付片（５３）を基板（７）に接合する場合に、第３取付片（５３）を基板（７）に対してより強固に接合することができる。ただし、この構成は必須ではなく、第３取付片（５３）は、凹所（５３１）を有していなくてもよい。
【０１７９】
第４の態様の他コネクタ（１０２）では、第１〜第３のいずれかの態様において、取付部材（５０）は、第１取付片（５１）及び第２取付片（５２）を１つの組片（５４）として、組片（５４）を複数有する。
【０１８０】
この構成によれば、他コネクタ（１０２）に掛かる外力を複数の組片（５４）にて受けることができる。このため、この構成によれば、組片（５４）を１つだけ有している場合と比較して、ハウジング（１Ａ）の強度を向上することができる。ただし、この構成は必須ではなく、取付部材（５０）は、組片（５４）を１つだけ有していてもよい。
【０１８１】
第５の態様の他コネクタ（１０２）では、第４の態様において、取付部材（５０）は、組片（５４）を２つ有する。２つの組片（５４）は、一対の第１周壁（１２１Ａ）にそれぞれ取り付けられる。一対の第１周壁（１２１Ａ）は、周壁（１２Ａ）のうち複数のコンタクト（２Ａ）を配列方向に並んだ状態で保持する。
【０１８２】
この構成によれば、一対の第１周壁（１２１Ａ）に掛かる外力を２つの組片（５４）にて受けることができる。このため、この構成によれば、一対の第１周壁（１２１Ａ）の強度を向上することができ、結果としてハウジング（１Ａ）の強度を向上することができる。ただし、この構成は必須ではなく、組片（５４）は、周壁（１２Ａ）のうち一対の第１周壁（１２１Ａ）以外の部位に取り付けられていてもよい。
【０１８３】
第６の態様の他コネクタ（１０２）では、第４の態様において、取付部材（５０）は、組片（５４）を３つ有する。３つの組片（５４）は、周壁（１２Ａ）のうち、一対の第１周壁（１２１Ａ）と、第２周壁（１２２Ａ）と、にそれぞれ設けられる。一対の第１周壁（１２１Ａ）は、複数のコンタクト（２Ａ）を配列方向に並んだ状態で保持する。第２周壁（１２２Ａ）は、一対の第１周壁（１２１Ａ）の端部同士を繋ぐ。
【０１８４】
この構成によれば、一対の第１周壁（１２１Ａ）及び第２周壁（１２２Ａ）に掛かる外力を３つの組片（５４）にて受けることができる。このため、この構成によれば、一対の第１周壁（１２１Ａ）及び第２周壁（１２２Ａ）の強度を向上することができ、結果としてハウジング（１Ａ）の強度を向上することができる。ただし、この構成は必須ではなく、組片（５４）は、周壁（１２Ａ）のうち一対の第１周壁（１２１Ａ）及び第２周壁（１２２Ａ）以外の部位に取り付けられていてもよい。
【０１８５】
第７の態様の他コネクタ（１０２）では、第１〜第６のいずれかの態様において、取付部材（５０）は、基板（７）に接合される接合部（５１１）を更に有する。接合部（５１１）は、第１取付片（５１）の底壁（１１Ａ）側の一端に設けられる。
【０１８６】
この構成によれば、取付部材（５０）を基板（７）に接合したときに、第１取付片（５１）の基板（７）に接合されていない部位及び第２取付片（５２）は、基板（７）に固定されない。このため、この構成によれば、取付部材（５０）が反対側部位を有する場合と比較して、他コネクタ（１０２）にコネクタ（１０１）を接続するときに取付部材（５０）に加わる応力を低減することができる。
【０１８７】
すなわち、取付部材（５０）が反対側部位を有する構成では、第１取付片（５１）及び反対側部位は、周壁（１２Ａ）を挟み込んでいる。この構成では、反対側部位を基板（７）に接合すると、他コネクタ（１０２）にコネクタ（１０１）を接続するときに、第１取付片（５１）、第２取付片（５２）、及び反対側部位が弾性変形し難い。したがって、この構成では、他コネクタ（１０２）に加わる外力を逃がし難い。一方、取付部材（５０）が反対側部位を有していない構成では、他コネクタ（１０２）にコネクタ（１０１）を接続するときに、第１取付片（５１）及び第２取付片（５２）が弾性変形し易い。したがって、この構成では、他コネクタ（１０２）に加わる外力を逃がし易く、結果として取付部材（５０）に加わる応力を低減することができる。
【０１８８】
また、この構成によれば、反対側部位を基板（７）に接合する場合と比較して、取付部材（５０）の残留応力を低減することができる。ただし、この構成は必須ではなく、取付部材（５０）は、接合部（５１１）を有していなくてもよい。
【０１８９】
第８の態様の他コネクタ（１０２）は、第１〜第７のいずれかの態様の取付金具（５Ａ）と、ハウジング（１Ａ）と、複数のコンタクト（２Ａ）と、を備える。
【０１９０】
この構成によれば、取付部材（５０）が反対側部位を有する場合と比較して、他コネクタ（１０２）の小型化を図ることができる他コネクタ（１０２）を実現することができる。また、他コネクタ（１０２）の大きさが所定の大きさに規定されている場合、取付部材（５０）が反対側部位を有する場合と比較して、ハウジング（１Ａ）の強度を向上することができる他コネクタ（１０２）を実現することができる。
【０１９１】
第９の態様の他コネクタ（１０２）では、第８の態様において、ハウジング（１Ａ）は、露出部（１１１）を有する。露出部（１１１）は、底壁（１１Ａ）の厚さ方向に窪み、取付部材（５０）の一部をハウジング（１Ａ）から露出させる。
【０１９２】
この構成によれば、露出部（１１１）から露出する取付部材（５０）の一部を、半田付けにより基板（７）に接合した場合、取付金具（５Ａ）を基板（７）により強固に固定することができ、取付金具（５Ａ）の強度を更に向上することができる。また、取付金具（５Ａ）を一部のコンタクト（２Ａ）と同電位に電気的に接続する場合、取付金具（５Ａ）のインピーダンスを低減することが可能である。ただし、この構成は必須ではなく、ハウジング（１Ａ）は、露出部（１１１）を有していなくてもよい。
【０１９３】
第１０の態様の他コネクタ（１０２）では、第８又は第９の態様において、ハウジング（１Ａ）は、肉厚部（１８）を更に有する。肉厚部（１８）は、底壁（１１Ａ）と、取付部材（５０）のうち底壁（１１Ａ）を貫通して周壁（１２Ａ）の内側に露出する部位との境界を覆う。
【０１９４】
この構成によれば、他コネクタ（１０２）にコネクタ（１０１）を接続するときに、他コネクタ（１０２）に掛かる外力を肉厚部（１８）にて受けることができる。このため、この構成によれば、肉厚部（１８）を有していない場合と比較して、外力が底壁（１１Ａ）及び取付部材（５０）に伝わり難く、結果としてハウジング（１Ａ）の強度を向上することができる。ただし、この構成は必須ではなく、ハウジング（１Ａ）は、肉厚部（１８）を有していなくてもよい。
【０１９５】
第１１の態様の他コネクタ（１０２）では、第８〜第１０のいずれかの態様において、ハウジング（１Ａ）は、突壁（１９）を更に有する。突壁（１９）は、繋ぎ面（Ｓ３）からハウジング（１Ａ）の厚さ方向に突出し、第２取付片（５２）の外側面（Ｓ２）側の一端と対向する。
【０１９６】
この構成によれば、第２取付片（５２）の繋ぎ面（Ｓ３）に位置する端部（ここでは、第２端）に向かう向きの外力が加わった場合、この外力を突壁（１９）で受け易い。このため、この構成によれば、この外力が第２取付片（５２）に伝わり難く、結果として第２取付片（５２）が変形し難い。ただし、この構成は必須ではなく、ハウジング（１Ａ）は、突壁（１９）を有していなくてもよい。
【０１９７】
以上、実施形態１，２に係るコネクタ１０１、他コネクタ１０２、及び接続システム１００について説明した。ただし、以上に説明した実施形態１，２は、本発明の様々な実施形態の一つに過ぎない。上記の実施形態１，２は、本発明の目的を達成できれば、設計等に応じて種々の変更が可能である。
【符号の説明】
【０１９８】
１  ハウジング
１１  底壁
１２  周壁
１２１  第１周壁
１２２  第２周壁
１５  壁部
２  コンタクト
２Ａ  他コネクタ側コンタクト
３  信号端子
４  電源端子
５  取付金具
５Ａ  他コネクタ側取付金具（導電部）
６  接続端子
６１  主片
６１０  避け部
６１１  接合部
６１２  凹部
６１３  延長片
６２  対向片
６２１  突部
６３  繋ぎ片
７  基板
１００  接続システム
１０１  コネクタ
１０２  他コネクタ
【図１】
2018133333.tif 000003
【図２】
2018133333.tif 000004
【図３】
2018133333.tif 000005
【図４】
2018133333.tif 000006
【図５】
2018133333.tif 000007
【図６】
2018133333.tif 000008
【図７】
2018133333.tif 000009
【図８】
2018133333.tif 000010
【図９】
2018133333.tif 000011
【図１０】
2018133333.tif 000012
【図１１】
2018133333.tif 000013
【図１２】
2018133333.tif 000014
【図１３】
2018133333.tif 000015
【図１４】
2018133333.tif 000016
【図１５】
2018133333.tif 000017
【図１６】
2018133333.tif 000018
【図１７】
2018133333.tif 000019
【図１８】
2018133333.tif 000020
【図１９】
2018133333.tif 000021
【図２０】
2018133333.tif 000022
【図２１】
2018133333.tif 000023
【図２２】
2018133333.tif 000024
【図２３】
2018133333.tif 000025
【図２４】
2018133333.tif 000026
【図２５】
2018133333.tif 000027
【図２６】
2018133333.tif 000028
【図２７】
2018133333.tif 000029
【図２８】
2018133333.tif 000030
【図２９】
2018133333.tif 000031
【図３０】
2018133333.tif 000032
【図３１】
2018133333.tif 000033
【図３２】
2018133333.tif 000034